(57)【要約】ユーザターミナルの位置を判定するための方法、装置、およびコンピュータによって読み込み可能な媒体は、テレビ信号送信機からのテレビ放送信号をユーザターミナルで受信し；テレビ放送信号の既知の成分に基づいてユーザターミナルとテレビ信号送信機との間の第１の擬似距離を判定し；ユーザターミナルにおいて携帯電話基地局からの携帯電話信号を受信し；携帯電話信号の既知の成分に基づいてユーザターミナルと携帯電話基地局との間の第２の擬似距離を判定し；第１および第２の擬似距離とテレビ信号送信機の位置と携帯電話基地局の位置とに基づいてユーザターミナルの位置を判定する。
2005502054.tif 000002
【特許請求の範囲】
【請求項１】
テレビ信号送信機からのテレビ放送信号をユーザターミナルで受信し；
テレビ放送信号の既知の成分に基づいてユーザターミナルとテレビ信号送信機との間の第１の擬似距離を判定し；
ユーザターミナルにおいて携帯電話基地局からの携帯電話信号を受信し；
携帯電話信号の既知の成分に基づいてユーザターミナルと携帯電話基地局との間の第２の擬似距離を判定し；
第１および第２の擬似距離とテレビ信号送信機の位置と携帯電話基地局の位置とに基づいてユーザターミナルの位置を判定する、
ことからなるユーザターミナルの位置判定方法。
【請求項２】
携帯電話信号はグローバルシステムモバイル通信（ＧＳＭ）信号である請求項１記載の方法。
【請求項３】
携帯電話信号の既知の成分はトレーニングシーケンスである請求項２記載の方法。
【請求項４】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項３記載の方法。
【請求項５】
携帯電話信号は符号分割多重接続（ＣＤＭＡ）信号である請求項１記載の方法。
【請求項６】
携帯電話信号の既知の成分は非変調ＰＮシーケンスである請求項５記載の方法。
【請求項７】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項６記載の方法。
【請求項８】
ユーザターミナルにおいて全地球位置発見衛星からの全地球位置発見信号を受信し；
全地球位置発見信号に基づいてユーザターミナルと全地球位置発見衛星との間の第３の擬似距離を判定し；
第１、第２および第３の擬似距離とテレビ信号送信機の位置と携帯電話基地局の位置と全地球位置発見衛星の位置とに基づいてユーザターミナルの位置を判定する、
ことをさらに含む請求項１記載の方法。
【請求項９】
テレビ信号送信機からのテレビ放送信号をユーザターミナルで受信し；
テレビ放送信号の既知の成分に基づいてユーザターミナルとテレビ信号送信機との間の擬似距離を判定し；
ユーザターミナルにおいて携帯電話基地局からの携帯電話信号を受信し、この携帯電話信号は距離信号を含むものであり；
前記距離信号に基づいてユーザターミナルと携帯電話基地局との間の距離を判定し；
前記擬似距離、前記距離、テレビ信号送信機の位置、ならびに携帯電話基地局の位置に基づいてユーザターミナルの位置を判定する、
ことからなるユーザターミナルの位置判定方法。
【請求項１０】
携帯電話信号はグローバルシステムモバイル通信（ＧＳＭ）信号であり、距離信号はタイミングアドバンスパラメータである請求項９記載の方法。
【請求項１１】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１０記載の方法。
【請求項１２】
携帯電話信号の既知の成分に基づいてユーザターミナルと携帯電話基地局との間の第２の擬似距離を判定し；
第１および第２の擬似距離と距離とテレビ信号送信機の位置と携帯電話基地局の位置とに基づいてユーザターミナルの位置を判定する、
ことをさらに含む請求項１０記載の方法。
【請求項１３】
携帯電話信号の既知の成分はトレーニングシーケンスである請求項１２記載の方法。
【請求項１４】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１３記載の方法。
【請求項１５】
ユーザターミナルにおいて全地球位置発見衛星からの全地球位置発見信号を受信し；
全地球位置発見信号に基づいてユーザターミナルと全地球位置発見衛星との間の第３の擬似距離を判定し；
第１、第２および第３の擬似距離と距離とテレビ信号送信機の位置と携帯電話基地局の位置と全地球位置発見衛星の位置とに基づいてユーザターミナルの位置を判定する、
ことをさらに含む請求項１２記載の方法。
【請求項１６】
ユーザターミナルにおいて全地球位置発見衛星からの全地球位置発見信号を受信し；
全地球位置発見信号に基づいてユーザターミナルと全地球位置発見衛星との間の第２の擬似距離を判定し；
第１および第２の擬似距離と距離とテレビ信号送信機の位置と携帯電話基地局の位置と全地球位置発見衛星の位置とに基づいてユーザターミナルの位置を判定する、
ことをさらに含む請求項９記載の方法。
【請求項１７】
テレビ信号送信機からのテレビ放送信号をユーザターミナルで受信し；
テレビ放送信号の既知の成分に基づいてユーザターミナルとテレビ信号送信機との間の第１の擬似距離を判定し；
ユーザターミナルにおいて携帯電話基地局からの携帯電話信号を受信し；
携帯電話信号の既知の成分に基づいてユーザターミナルと携帯電話基地局との間の第２の擬似距離を判定し；
第１および第２の擬似距離をこれらの第１および第２の擬似距離とテレビ信号送信機の位置と携帯電話基地局の位置とに基づいてユーザターミナルの位置を判定するよう構成された位置確認サーバに送信することからなる、
ユーザターミナルの位置判定方法。
【請求項１８】
携帯電話信号はグローバルシステムモバイル通信（ＧＳＭ）信号である請求項１７記載の方法。
【請求項１９】
携帯電話信号の既知の成分はトレーニングシーケンスである請求項１８記載の方法。
【請求項２０】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１９記載の方法。
【請求項２１】
携帯電話信号は符号分割多重接続（ＣＤＭＡ）信号である請求項１７記載の方法。
【請求項２２】
携帯電話信号の既知の成分は非変調ＰＮシーケンスである請求項２１記載の方法。
【請求項２３】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項２２記載の方法。
【請求項２４】
ユーザターミナルにおいて全地球位置発見衛星からの全地球位置発見信号を受信し；
全地球位置発見信号に基づいてユーザターミナルと全地球位置発見衛星との間の第３の擬似距離を判定し；
第１、第２および第３の擬似距離をこれらの第１、第２および第３の擬似距離とテレビ信号送信機の位置と携帯電話基地局の位置と全地球位置発見衛星の位置とに基づいてユーザターミナルの位置を判定するよう構成された位置確認サーバに送信する、
ことをさらに含む請求項１７記載の方法。
【請求項２５】
テレビ信号送信機からのテレビ放送信号をユーザターミナルで受信し；
テレビ放送信号の既知の成分に基づいてユーザターミナルとテレビ信号送信機との間の擬似距離を判定し；
ユーザターミナルにおいて携帯電話基地局からの携帯電話信号を受信し、この携帯電話信号は距離信号を含むものであり；
距離信号に基づいてユーザターミナルと携帯電話基地局との間の距離を判定し；
擬似距離および距離をこれらの擬似距離および距離とテレビ信号送信機の位置と携帯電話基地局の位置とに基づいてユーザターミナルの位置を判定するよう構成された位置確認サーバに送信する、
ことからなるユーザターミナルの位置判定方法。
【請求項２６】
携帯電話信号はグローバルシステムモバイル通信（ＧＳＭ）信号である請求項２５記載の方法。
【請求項２７】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項２６記載の方法。
【請求項２８】
携帯電話信号の既知の成分に基づいてユーザターミナルと携帯電話基地局との間の第２の擬似距離を判定し；
第１および第２の擬似距離と距離とをこれらの第１および第２の擬似距離と距離とテレビ信号送信機の位置と携帯電話基地局の位置とに基づいてユーザターミナルの位置を判定するよう構成された位置確認サーバに送信する、
ことをさらに含む請求項２６記載の方法。
【請求項２９】
携帯電話信号の既知の成分はトレーニングシーケンスである請求項２８記載の方法。
【請求項３０】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項２９記載の方法。
【請求項３１】
ユーザターミナルにおいて全地球位置発見衛星からの全地球位置発見信号を受信し；
全地球位置発見信号に基づいてユーザターミナルと全地球位置発見衛星との間の第３の擬似距離を判定し；
第１、第２および第３の擬似距離と距離とをこれらの第１、第２および第３の擬似距離と距離とテレビ信号送信機の位置と携帯電話基地局の位置と全地球位置発見衛星の位置とに基づいてユーザターミナルの位置を判定するよう構成された位置確認サーバに送信する、
ことをさらに含む請求項２８記載の方法。
【請求項３２】
ユーザターミナルにおいて全地球位置発見衛星からの全地球位置発見信号を受信し；
全地球位置発見信号に基づいてユーザターミナルと全地球位置発見衛星との間の第２の擬似距離を判定し；
第１および第２の擬似距離と距離とをこれらの第１および第２の擬似距離と距離とテレビ信号送信機の位置と携帯電話基地局の位置と全地球位置発見衛星の位置とに基づいてユーザターミナルの位置を判定するよう構成された位置確認サーバに送信する、
ことをさらに含む請求項２５記載の方法。
【請求項３３】
ユーザターミナルから第１の擬似距離を受信し、この第１の擬似距離はユーザターミナルとテレビ信号送信機との間においてこのテレビ信号送信機によって送信されたテレビ放送信号の既知の成分に基づいて判定され；
ユーザターミナルから第２の擬似距離を受信し、この第２の擬似距離はユーザターミナルと携帯電話基地局との間においてこの携帯電話基地局によって送信された携帯電話信号の既知の成分に基づいて判定され；
第１および第２の擬似距離とテレビ信号送信機の位置と携帯電話基地局の位置とに基づいてユーザターミナルの位置を判定する、
ことからなるユーザターミナルの位置判定方法。
【請求項３４】
携帯電話信号はグローバルシステムモバイル通信（ＧＳＭ）信号である請求項３３記載の方法。
【請求項３５】
携帯電話信号の既知の成分はトレーニングシーケンスである請求項３４記載の方法。
【請求項３６】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項３５記載の方法。
【請求項３７】
携帯電話信号は符号分割多重接続（ＣＤＭＡ）信号である請求項３３記載の方法。
【請求項３８】
携帯電話信号の既知の成分は非変調ＰＮシーケンスである請求項３７記載の方法。
【請求項３９】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項３８記載の方法。
【請求項４０】
全地球位置発見衛星によって送信された全地球位置発見信号に基づいたユーザターミナルと全地球位置発見衛星との間の第３の擬似距離を受信し；
第１、第２および第３の擬似距離とテレビ信号送信機の位置と携帯電話基地局の位置と全地球位置発見衛星の位置とに基づいてユーザターミナルの位置を判定する、
ことをさらに含む請求項３３記載の方法。
【請求項４１】
ユーザターミナルとテレビ信号送信機との間の擬似距離を受信し、この擬似距離はテレビ信号送信機によって送信されたテレビ放送信号の既知の成分に基づいて判定され；
ユーザターミナルと携帯電話基地局との間の距離を受信し、この距離は携帯電話基地局によって送信された距離信号に基づいて判定され；
擬似距離および距離とテレビ信号送信機の位置と携帯電話基地局の位置とに基づいてユーザターミナルの位置を判定する、
ことからなるユーザターミナルの位置判定方法。
【請求項４２】
携帯電話信号はグローバルシステムモバイル通信（ＧＳＭ）信号である請求項４１記載の方法。
【請求項４３】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項４２記載の方法。
【請求項４４】
ユーザターミナルと携帯電話基地局との間の第２の擬似距離を受信し、この第２の擬似距離は携帯電話信号の既知の成分に基づいて判定され；
第１および第２の擬似距離と距離とテレビ信号送信機の位置と携帯電話基地局の位置とに基づいてユーザターミナルの位置を判定する、
ことをさらに含む請求項４２記載の方法。
【請求項４５】
携帯電話信号の既知の成分はトレーニングシーケンスである請求項４４記載の方法。
【請求項４６】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項４５記載の方法。
【請求項４７】
ユーザターミナルと全地球位置発見衛星との間の第３の擬似距離を受信し、この第３の擬似距離は全地球位置発見衛星によって送信された全地球位置発見信号に基づいて判定され；
第１、第２および第３の擬似距離と距離とテレビ信号送信機の位置と携帯電話基地局の位置と全地球位置発見衛星の位置とに基づいてユーザターミナルの位置を判定する、
ことをさらに含む請求項４４記載の方法。
【請求項４８】
ユーザターミナルと全地球位置発見衛星との間の第２の擬似距離を受信し、この第２の擬似距離は全地球位置発見衛星によって送信された全地球位置発見信号に基づいて判定され；
第１および第２の擬似距離と距離とテレビ信号送信機の位置と携帯電話基地局の位置と全地球位置発見衛星の位置とに基づいてユーザターミナルの位置を判定する、
ことをさらに含む請求項４１記載の方法。
【請求項４９】
ユーザターミナルの位置を判定するための方法をコンピュータによって実行するための命令を記録したコンピュータによって読み込み可能な媒体であり、前記方法は：
テレビ信号送信機からのテレビ放送信号をユーザターミナルで受信し；
テレビ放送信号の既知の成分に基づいてユーザターミナルとテレビ信号送信機との間の第１の擬似距離を判定し；
ユーザターミナルにおいて携帯電話基地局からの携帯電話信号を受信し；
携帯電話信号の既知の成分に基づいてユーザターミナルと携帯電話基地局との間の第２の擬似距離を判定し；
第１および第２の擬似距離とテレビ信号送信機の位置と携帯電話基地局の位置とに基づいてユーザターミナルの位置を判定する、
ことからなる媒体。
【請求項５０】
携帯電話信号はグローバルシステムモバイル通信（ＧＳＭ）信号である請求項４９記載の媒体。
【請求項５１】
携帯電話信号の既知の成分はトレーニングシーケンスである請求項５０記載の媒体。
【請求項５２】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項５１記載の媒体。
【請求項５３】
携帯電話信号は符号分割多重接続（ＣＤＭＡ）信号である請求項４９記載の媒体。
【請求項５４】
携帯電話信号の既知の成分は非変調ＰＮシーケンスである請求項５３記載の媒体。
【請求項５５】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項５４記載の媒体。
【請求項５６】
ユーザターミナルにおいて全地球位置発見衛星からの全地球位置発見信号を受信し；
全地球位置発見信号に基づいてユーザターミナルと全地球位置発見衛星との間の第３の擬似距離を判定し；
第１、第２および第３の擬似距離とテレビ信号送信機の位置と携帯電話基地局の位置と全地球位置発見衛星の位置とに基づいてユーザターミナルの位置を判定する、
ことをさらに含む請求項４９記載の媒体。
【請求項５７】
ユーザターミナルの位置を判定するための方法をコンピュータによって実行するための命令を記録したコンピュータによって読み込み可能な媒体であり、前記方法は：
テレビ信号送信機からのテレビ放送信号をユーザターミナルで受信し；
テレビ放送信号の既知の成分に基づいてユーザターミナルとテレビ信号送信機との間の擬似距離を判定し；
ユーザターミナルにおいて携帯電話基地局からの携帯電話信号を受信し、この携帯電話信号は距離信号を含むものであり；
前記距離信号に基づいてユーザターミナルと携帯電話基地局との間の距離を判定し；
前記擬似距離、前記距離、テレビ信号送信機の位置、ならびに携帯電話基地局の位置に基づいてユーザターミナルの位置を判定する、
ことからなる媒体。
【請求項５８】
携帯電話信号はグローバルシステムモバイル通信（ＧＳＭ）信号であり、距離信号はタイミングアドバンスパラメータである請求項５７記載の媒体。
【請求項５９】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項５８記載の媒体。
【請求項６０】
携帯電話信号の既知の成分に基づいてユーザターミナルと携帯電話基地局との間の第２の擬似距離を判定し；
第１および第２の擬似距離と距離とテレビ信号送信機の位置と携帯電話基地局の位置とに基づいてユーザターミナルの位置を判定する、
ことをさらに含む請求項５８記載の媒体。
【請求項６１】
携帯電話信号の既知の成分はトレーニングシーケンスである請求項６０記載の媒体。
【請求項６２】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項６１記載の媒体。
【請求項６３】
ユーザターミナルにおいて全地球位置発見衛星からの全地球位置発見信号を受信し；
全地球位置発見信号に基づいてユーザターミナルと全地球位置発見衛星との間の第３の擬似距離を判定し；
第１、第２および第３の擬似距離と距離とテレビ信号送信機の位置と携帯電話基地局の位置と全地球位置発見衛星の位置とに基づいてユーザターミナルの位置を判定する、
ことをさらに含む請求項６０記載の媒体。
【請求項６４】
ユーザターミナルにおいて全地球位置発見衛星からの全地球位置発見信号を受信し；
全地球位置発見信号に基づいてユーザターミナルと全地球位置発見衛星との間の第２の擬似距離を判定し；
第１および第２の擬似距離と距離とテレビ信号送信機の位置と携帯電話基地局の位置と全地球位置発見衛星の位置とに基づいてユーザターミナルの位置を判定する、
ことをさらに含む請求項５７記載の媒体。
【請求項６５】
ユーザターミナルの位置を判定するための方法をコンピュータによって実行するための命令を記録したコンピュータによって読み込み可能な媒体であり、前記方法は：
テレビ信号送信機からのテレビ放送信号をユーザターミナルで受信し；
テレビ放送信号の既知の成分に基づいてユーザターミナルとテレビ信号送信機との間の第１の擬似距離を判定し；
ユーザターミナルにおいて携帯電話基地局からの携帯電話信号を受信し；
携帯電話信号の既知の成分に基づいてユーザターミナルと携帯電話基地局との間の第２の擬似距離を判定し；
第１および第２の擬似距離をこれらの第１および第２の擬似距離とテレビ信号送信機の位置と携帯電話基地局の位置とに基づいてユーザターミナルの位置を判定するよう構成された位置確認サーバに送信することからなる、
ことからなる媒体。
【請求項６６】
携帯電話信号はグローバルシステムモバイル通信（ＧＳＭ）信号である請求項６５記載の媒体。
【請求項６７】
携帯電話信号の既知の成分はトレーニングシーケンスである請求項６６記載の媒体。
【請求項６８】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項６７記載の媒体。
【請求項６９】
携帯電話信号は符号分割多重接続（ＣＤＭＡ）信号である請求項６５記載の媒体。
【請求項７０】
携帯電話信号の既知の成分は非変調ＰＮシーケンスである請求項６９記載の媒体。
【請求項７１】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項７０記載の媒体。
【請求項７２】
ユーザターミナルにおいて全地球位置発見衛星からの全地球位置発見信号を受信し；
全地球位置発見信号に基づいてユーザターミナルと全地球位置発見衛星との間の第３の擬似距離を判定し；
第１、第２および第３の擬似距離をこれらの第１、第２および第３の擬似距離とテレビ信号送信機の位置と携帯電話基地局の位置と全地球位置発見衛星の位置とに基づいてユーザターミナルの位置を判定するよう構成された位置確認サーバに送信する、
ことをさらに含む請求項６５記載の媒体。
【請求項７３】
ユーザターミナルの位置を判定するための方法をコンピュータによって実行するための命令を記録したコンピュータによって読み込み可能な媒体であり、前記方法は：
テレビ信号送信機からのテレビ放送信号をユーザターミナルで受信し；
テレビ放送信号の既知の成分に基づいてユーザターミナルとテレビ信号送信機との間の擬似距離を判定し；
ユーザターミナルにおいて携帯電話基地局からの携帯電話信号を受信し、この携帯電話信号は距離信号を含むものであり；
距離信号に基づいてユーザターミナルと携帯電話基地局との間の距離を判定し；
擬似距離および距離をこれらの擬似距離および距離とテレビ信号送信機の位置と携帯電話基地局の位置とに基づいてユーザターミナルの位置を判定するよう構成された位置確認サーバに送信する、
ことからなる媒体。
【請求項７４】
携帯電話信号はグローバルシステムモバイル通信（ＧＳＭ）信号である請求項７３記載の媒体。
【請求項７５】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項７４記載の媒体。
【請求項７６】
携帯電話信号の既知の成分に基づいてユーザターミナルと携帯電話基地局との間の第２の擬似距離を判定し；
第１および第２の擬似距離と距離とをこれらの第１および第２の擬似距離と距離とテレビ信号送信機の位置と携帯電話基地局の位置とに基づいてユーザターミナルの位置を判定するよう構成された位置確認サーバに送信する、
ことをさらに含む請求項７４記載の媒体。
【請求項７７】
携帯電話信号の既知の成分はトレーニングシーケンスである請求項７６記載の媒体。
【請求項７８】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項７７記載の媒体。
【請求項７９】
ユーザターミナルにおいて全地球位置発見衛星からの全地球位置発見信号を受信し；
全地球位置発見信号に基づいてユーザターミナルと全地球位置発見衛星との間の第３の擬似距離を判定し；
第１、第２および第３の擬似距離と距離とをこれらの第１、第２および第３の擬似距離と距離とテレビ信号送信機の位置と携帯電話基地局の位置と全地球位置発見衛星の位置とに基づいてユーザターミナルの位置を判定するよう構成された位置確認サーバに送信する、
ことをさらに含む請求項７６記載の媒体。
【請求項８０】
ユーザターミナルにおいて全地球位置発見衛星からの全地球位置発見信号を受信し；
全地球位置発見信号に基づいてユーザターミナルと全地球位置発見衛星との間の第２の擬似距離を判定し；
第１および第２の擬似距離と距離とをこれらの第１および第２の擬似距離と距離とテレビ信号送信機の位置と携帯電話基地局の位置と全地球位置発見衛星の位置とに基づいてユーザターミナルの位置を判定するよう構成された位置確認サーバに送信する、
ことをさらに含む請求項７３記載の媒体。
【請求項８１】
ユーザターミナルの位置を判定するための方法をコンピュータによって実行するための命令を記録したコンピュータによって読み込み可能な媒体であり、前記方法は：
ユーザターミナルから第１の擬似距離を受信し、この第１の擬似距離はユーザターミナルとテレビ信号送信機との間においてこのテレビ信号送信機によって送信されたテレビ放送信号の既知の成分に基づいて判定され；
ユーザターミナルから第２の擬似距離を受信し、この第２の擬似距離はユーザターミナルと携帯電話基地局との間においてこの携帯電話基地局によって送信された携帯電話信号の既知の成分に基づいて判定され；
第１および第２の擬似距離とテレビ信号送信機の位置と携帯電話基地局の位置とに基づいてユーザターミナルの位置を判定する、
ことからなる媒体。
【請求項８２】
携帯電話信号はグローバルシステムモバイル通信（ＧＳＭ）信号である請求項８１記載の媒体。
【請求項８３】
携帯電話信号の既知の成分はトレーニングシーケンスである請求項８２記載の媒体。
【請求項８４】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項８３記載の媒体。
【請求項８５】
携帯電話信号は符号分割多重接続（ＣＤＭＡ）信号である請求項８１記載の媒体。
【請求項８６】
携帯電話信号の既知の成分は非変調ＰＮシーケンスである請求項８５記載の媒体。
【請求項８７】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項８６記載の媒体。
【請求項８８】
全地球位置発見衛星によって送信された全地球位置発見信号に基づいたユーザターミナルと全地球位置発見衛星との間の第３の擬似距離を受信し；
第１、第２および第３の擬似距離とテレビ信号送信機の位置と携帯電話基地局の位置と全地球位置発見衛星の位置とに基づいてユーザターミナルの位置を判定する、
ことをさらに含む請求項８１記載の媒体。
【請求項８９】
ユーザターミナルの位置を判定するための媒体であり、その方法は：
ユーザターミナルとテレビ信号送信機との間の擬似距離を受信し、この擬似距離はテレビ信号送信機によって送信されたテレビ放送信号の既知の成分に基づいて判定され；
ユーザターミナルと携帯電話基地局との間の距離を受信し、この距離は携帯電話基地局によって送信された距離信号に基づいて判定され；
擬似距離および距離とテレビ信号送信機の位置と携帯電話基地局の位置とに基づいてユーザターミナルの位置を判定する、
ことからなる媒体。
【請求項９０】
携帯電話信号はグローバルシステムモバイル通信（ＧＳＭ）信号である請求項８９記載の媒体。
【請求項９１】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項９０記載の媒体。
【請求項９２】
ユーザターミナルと携帯電話基地局との間の第２の擬似距離を受信し、この第２の擬似距離は携帯電話信号の既知の成分に基づいて判定され；
第１および第２の擬似距離と距離とテレビ信号送信機の位置と携帯電話基地局の位置とに基づいてユーザターミナルの位置を判定する、
ことをさらに含む請求項９０記載の媒体。
【請求項９３】
携帯電話信号の既知の成分はトレーニングシーケンスである請求項９２記載の媒体。
【請求項９４】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項９３記載の媒体。
【請求項９５】
ユーザターミナルと全地球位置発見衛星との間の第３の擬似距離を受信し、この第３の擬似距離は全地球位置発見衛星によって送信された全地球位置発見信号に基づいて判定され；
第１、第２および第３の擬似距離と距離とテレビ信号送信機の位置と携帯電話基地局の位置と全地球位置発見衛星の位置とに基づいてユーザターミナルの位置を判定する、
ことをさらに含む請求項９２記載の媒体。
【請求項９６】
ユーザターミナルと全地球位置発見衛星との間の第２の擬似距離を受信し、この第２の擬似距離は全地球位置発見衛星によって送信された全地球位置発見信号に基づいて判定され；
第１および第２の擬似距離と距離とテレビ信号送信機の位置と携帯電話基地局の位置と全地球位置発見衛星の位置とに基づいてユーザターミナルの位置を判定する、
ことをさらに含む請求項８９記載の媒体。
【請求項９７】
テレビ信号送信機からのテレビ放送信号をユーザターミナルで受信する受信機と；
テレビ放送信号の既知の成分に基づいてユーザターミナルとテレビ信号送信機との間の第１の擬似距離を判定するプロセッサとからなり；
受信機はユーザターミナルにおいて携帯電話基地局からの携帯電話信号を受信し；
プロセッサは携帯電話信号の既知の成分に基づいてユーザターミナルと携帯電話基地局との間の第２の擬似距離を判定し；
プロセッサは第１および第２の擬似距離とテレビ信号送信機の位置と携帯電話基地局の位置とに基づいてユーザターミナルの位置を判定する、
ことからなるユーザターミナルの位置判定装置。
【請求項９８】
携帯電話信号はグローバルシステムモバイル通信（ＧＳＭ）信号である請求項９７記載の装置。
【請求項９９】
携帯電話信号の既知の成分はトレーニングシーケンスである請求項９８記載の装置。
【請求項１００】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項９９記載の装置。
【請求項１０１】
携帯電話信号は符号分割多重接続（ＣＤＭＡ）信号である請求項９７記載の装置。
【請求項１０２】
携帯電話信号の既知の成分は非変調ＰＮシーケンスである請求項１０１記載の装置。
【請求項１０３】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１０２記載の装置。
【請求項１０４】
受信機はユーザターミナルにおいて全地球位置発見衛星からの全地球位置発見信号を受信し；
プロセッサは全地球位置発見信号に基づいてユーザターミナルと全地球位置発見衛星との間の第３の擬似距離を判定し；
プロセッサは第１、第２および第３の擬似距離とテレビ信号送信機の位置と携帯電話基地局の位置と全地球位置発見衛星の位置とに基づいてユーザターミナルの位置を判定する、
ことからなる請求項９７記載の装置。
【請求項１０５】
テレビ信号送信機からのテレビ放送信号をユーザターミナルで受信する受信機と；
テレビ放送信号の既知の成分に基づいてユーザターミナルとテレビ信号送信機との間の擬似距離を判定するプロセッサとからなり；
受信機はユーザターミナルにおいて携帯電話基地局からの携帯電話信号を受信し、この携帯電話信号は距離信号を含むものであり；
プロセッサは前記距離信号に基づいてユーザターミナルと携帯電話基地局との間の距離を判定し；
プロセッサは前記擬似距離、前記距離、テレビ信号送信機の位置、ならびに携帯電話基地局の位置に基づいてユーザターミナルの位置を判定する、
ことからなるユーザターミナルの位置判定装置。
【請求項１０６】
携帯電話信号はグローバルシステムモバイル通信（ＧＳＭ）信号であり、距離信号はタイミングアドバンスパラメータである請求項１０５記載の装置。
【請求項１０７】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１０６記載の装置。
【請求項１０８】
プロセッサは携帯電話信号の既知の成分に基づいてユーザターミナルと携帯電話基地局との間の第２の擬似距離を判定し；
プロセッサは第１および第２の擬似距離と距離とテレビ信号送信機の位置と携帯電話基地局の位置とに基づいてユーザターミナルの位置を判定する、
ことからなる請求項１０６記載の装置。
【請求項１０９】
携帯電話信号の既知の成分はトレーニングシーケンスである請求項１０８記載の装置。
【請求項１１０】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１０９記載の装置。
【請求項１１１】
受信機はユーザターミナルにおいて全地球位置発見衛星からの全地球位置発見信号を受信し；
プロセッサは全地球位置発見信号に基づいてユーザターミナルと全地球位置発見衛星との間の第３の擬似距離を判定し；
プロセッサは第１、第２および第３の擬似距離と距離とテレビ信号送信機の位置と携帯電話基地局の位置と全地球位置発見衛星の位置とに基づいてユーザターミナルの位置を判定する、
ことからなる請求項１０８記載の装置。
【請求項１１２】
受信機はユーザターミナルにおいて全地球位置発見衛星からの全地球位置発見信号を受信し；
プロセッサは地球位置発見信号に基づいてユーザターミナルと全地球位置発見衛星との間の第２の擬似距離を判定し；
プロセッサは第１および第２の擬似距離と距離とテレビ信号送信機の位置と携帯電話基地局の位置と全地球位置発見衛星の位置とに基づいてユーザターミナルの位置を判定する、
ことからなる請求項１０５記載の装置。
【請求項１１３】
テレビ信号送信機からのテレビ放送信号をユーザターミナルで受信する受信機と；
テレビ放送信号の既知の成分に基づいてユーザターミナルとテレビ信号送信機との間の第１の擬似距離を判定するプロセッサとからなり；
受信機はユーザターミナルにおいて携帯電話基地局からの携帯電話信号を受信し；
プロセッサは携帯電話信号の既知の成分に基づいてユーザターミナルと携帯電話基地局との間の第２の擬似距離を判定し；
第１および第２の擬似距離をこれらの第１および第２の擬似距離とテレビ信号送信機の位置と携帯電話基地局の位置とに基づいてユーザターミナルの位置を判定するよう構成された位置確認サーバに送信する送信機を備えてなる、
ユーザターミナルの位置判定装置。
【請求項１１４】
携帯電話信号はグローバルシステムモバイル通信（ＧＳＭ）信号である請求項１１３記載の装置。
【請求項１１５】
携帯電話信号の既知の成分はトレーニングシーケンスである請求項１１４記載の装置。
【請求項１１６】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１１５記載の装置。
【請求項１１７】
携帯電話信号は符号分割多重接続（ＣＤＭＡ）信号である請求項１１３記載の装置。
【請求項１１８】
携帯電話信号の既知の成分は非変調ＰＮシーケンスである請求項１１７記載の装置。
【請求項１１９】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１１８記載の装置。
【請求項１２０】
受信機はユーザターミナルにおいて全地球位置発見衛星からの全地球位置発見信号を受信し；
プロセッサは全地球位置発見信号に基づいてユーザターミナルと全地球位置発見衛星との間の第３の擬似距離を判定し；
送信機は第１、第２および第３の擬似距離をこれらの第１、第２および第３の擬似距離とテレビ信号送信機の位置と携帯電話基地局の位置と全地球位置発見衛星の位置とに基づいてユーザターミナルの位置を判定するよう構成された位置確認サーバに送信する、
ことからなる請求項１１３記載の装置。
【請求項１２１】
テレビ信号送信機からのテレビ放送信号をユーザターミナルで受信する受信機と；
テレビ放送信号の既知の成分に基づいてユーザターミナルとテレビ信号送信機との間の擬似距離を判定するプロセッサとからなり；
受信機はユーザターミナルにおいて携帯電話基地局からの携帯電話信号を受信し、この携帯電話信号は距離信号を含むものであり；
プロセッサは距離信号に基づいてユーザターミナルと携帯電話基地局との間の距離を判定し；
擬似距離および距離をこれらの擬似距離および距離とテレビ信号送信機の位置と携帯電話基地局の位置とに基づいてユーザターミナルの位置を判定するよう構成された位置確認サーバに送信する送信機を備えてなる、
ユーザターミナルの位置判定装置。
【請求項１２２】
携帯電話信号はグローバルシステムモバイル通信（ＧＳＭ）信号である請求項１２１記載の装置。
【請求項１２３】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１２２記載の装置。
【請求項１２４】
プロセッサは携帯電話信号の既知の成分に基づいてユーザターミナルと携帯電話基地局との間の第２の擬似距離を判定し；
送信機は第１および第２の擬似距離と距離とをこれらの第１および第２の擬似距離と距離とテレビ信号送信機の位置と携帯電話基地局の位置とに基づいてユーザターミナルの位置を判定するよう構成された位置確認サーバに送信する、
ことからなる請求項１２２記載の装置。
【請求項１２５】
携帯電話信号の既知の成分はトレーニングシーケンスである請求項１２４記載の装置。
【請求項１２６】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１２５記載の装置。
【請求項１２７】
受信機はユーザターミナルにおいて全地球位置発見衛星からの全地球位置発見信号を受信し；
プロセッサは全地球位置発見信号に基づいてユーザターミナルと全地球位置発見衛星との間の第３の擬似距離を判定し；
送信機は第１、第２および第３の擬似距離と距離とをこれらの第１、第２および第３の擬似距離と距離とテレビ信号送信機の位置と携帯電話基地局の位置と全地球位置発見衛星の位置とに基づいてユーザターミナルの位置を判定するよう構成された位置確認サーバに送信する、
ことからなる請求項１２４記載の装置。
【請求項１２８】
受信機はユーザターミナルにおいて全地球位置発見衛星からの全地球位置発見信号を受信し；
プロセッサは全地球位置発見信号に基づいてユーザターミナルと全地球位置発見衛星との間の第２の擬似距離を判定し；
送信機は第１および第２の擬似距離と距離とをこれらの第１および第２の擬似距離と距離とテレビ信号送信機の位置と携帯電話基地局の位置と全地球位置発見衛星の位置とに基づいてユーザターミナルの位置を判定するよう構成された位置確認サーバに送信する、
ことからなる請求項１２１記載の装置。
【請求項１２９】
ユーザターミナルから第１の擬似距離を受信する受信機を備え、この第１の擬似距離はユーザターミナルとテレビ信号送信機との間においてこのテレビ信号送信機によって送信されたテレビ放送信号の既知の成分に基づいて判定され；
受信機はユーザターミナルから第２の擬似距離を受信し、この第２の擬似距離はユーザターミナルと携帯電話基地局との間においてこの携帯電話基地局によって送信された携帯電話信号の既知の成分に基づいて判定され；
第１および第２の擬似距離とテレビ信号送信機の位置と携帯電話基地局の位置とに基づいてユーザターミナルの位置を判定するプロセッサを備えてなる、
ユーザターミナルの位置判定装置。
【請求項１３０】
携帯電話信号はグローバルシステムモバイル通信（ＧＳＭ）信号である請求項１２９記載の装置。
【請求項１３１】
携帯電話信号の既知の成分はトレーニングシーケンスである請求項１３０記載の装置。
【請求項１３２】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１３１記載の装置。
【請求項１３３】
携帯電話信号は符号分割多重接続（ＣＤＭＡ）信号である請求項１２９記載の装置。
【請求項１３４】
携帯電話信号の既知の成分は非変調ＰＮシーケンスである請求項１３３記載の装置。
【請求項１３５】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１３４記載の装置。
【請求項１３６】
受信機は全地球位置発見衛星によって送信された全地球位置発見信号に基づいたユーザターミナルと全地球位置発見衛星との間の第３の擬似距離を受信し；
プロセッサは第１、第２および第３の擬似距離とテレビ信号送信機の位置と携帯電話基地局の位置と全地球位置発見衛星の位置とに基づいてユーザターミナルの位置を判定する、
ことからなる請求項１２９記載の装置。
【請求項１３７】
ユーザターミナルとテレビ信号送信機との間の擬似距離を受信する受信機を備え、この擬似距離はテレビ信号送信機によって送信されたテレビ放送信号の既知の成分に基づいて判定され；
受信機はユーザターミナルと携帯電話基地局との間の距離を受信し、この距離は携帯電話基地局によって送信された距離信号に基づいて判定され；
擬似距離および距離とテレビ信号送信機の位置と携帯電話基地局の位置とに基づいてユーザターミナルの位置を判定するプロセッサを備えてなる、
ユーザターミナルの位置判定装置。
【請求項１３８】
携帯電話信号はグローバルシステムモバイル通信（ＧＳＭ）信号である請求項１３７記載の装置。
【請求項１３９】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１３８記載の装置。
【請求項１４０】
受信機はユーザターミナルと携帯電話基地局との間の第２の擬似距離を受信し、この第２の擬似距離は携帯電話信号の既知の成分に基づいて判定され；
プロセッサは第１および第２の擬似距離と距離とテレビ信号送信機の位置と携帯電話基地局の位置とに基づいてユーザターミナルの位置を判定する、
ことからなる請求項１３８記載の装置。
【請求項１４１】
携帯電話信号の既知の成分はトレーニングシーケンスである請求項１４０記載の装置。
【請求項１４２】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１４１記載の装置。
【請求項１４３】
受信機はユーザターミナルと全地球位置発見衛星との間の第３の擬似距離を受信し、この第３の擬似距離は全地球位置発見衛星によって送信された全地球位置発見信号に基づいて判定され；
プロセッサは第１、第２および第３の擬似距離と距離とテレビ信号送信機の位置と携帯電話基地局の位置と全地球位置発見衛星の位置とに基づいてユーザターミナルの位置を判定する、
ことからなる請求項１４０記載の装置。
【請求項１４４】
受信機はユーザターミナルと全地球位置発見衛星との間の第２の擬似距離を受信し、この第２の擬似距離は全地球位置発見衛星によって送信された全地球位置発見信号に基づいて判定され；
プロセッサは第１および第２の擬似距離と距離とテレビ信号送信機の位置と携帯電話基地局の位置と全地球位置発見衛星の位置とに基づいてユーザターミナルの位置を判定する、
ことからなる請求項１３７記載の装置。
【請求項１４５】
テレビ信号送信機からのテレビ放送信号をユーザターミナルで受信する受信手段と；
テレビ放送信号の既知の成分に基づいてユーザターミナルとテレビ信号送信機との間の第１の擬似距離を判定するプロセッサ手段とからなり；
受信手段はユーザターミナルにおいて携帯電話基地局からの携帯電話信号を受信し；
プロセッサ手段は携帯電話信号の既知の成分に基づいてユーザターミナルと携帯電話基地局との間の第２の擬似距離を判定し；
プロセッサ手段は第１および第２の擬似距離とテレビ信号送信機の位置と携帯電話基地局の位置とに基づいてユーザターミナルの位置を判定する、
ことからなるユーザターミナルの位置判定装置。
【請求項１４６】
携帯電話信号はグローバルシステムモバイル通信（ＧＳＭ）信号である請求項１４５記載の装置。
【請求項１４７】
携帯電話信号の既知の成分はトレーニングシーケンスである請求項１４６記載の装置。
【請求項１４８】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１４７記載の装置。
【請求項１４９】
携帯電話信号は符号分割多重接続（ＣＤＭＡ）信号である請求項１４５記載の装置。
【請求項１５０】
携帯電話信号の既知の成分は非変調ＰＮシーケンスである請求項１４９記載の装置。
【請求項１５１】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１５０記載の装置。
【請求項１５２】
受信手段はユーザターミナルにおいて全地球位置発見衛星からの全地球位置発見信号を受信し；
プロセッサ手段は全地球位置発見信号に基づいてユーザターミナルと全地球位置発見衛星との間の第３の擬似距離を判定し；
プロセッサ手段は第１、第２および第３の擬似距離とテレビ信号送信機の位置と携帯電話基地局の位置と全地球位置発見衛星の位置とに基づいてユーザターミナルの位置を判定する、
ことからなる請求項１４５記載の装置。
【請求項１５３】
テレビ信号送信機からのテレビ放送信号をユーザターミナルで受信する受信手段と；
テレビ放送信号の既知の成分に基づいてユーザターミナルとテレビ信号送信機との間の擬似距離を判定するプロセッサ手段とからなり；
受信手段はユーザターミナルにおいて携帯電話基地局からの携帯電話信号を受信し、この携帯電話信号は距離信号を含むものであり；
プロセッサ手段は前記距離信号に基づいてユーザターミナルと携帯電話基地局との間の距離を判定し；
プロセッサ手段は前記擬似距離、前記距離、テレビ信号送信機の位置、ならびに携帯電話基地局の位置に基づいてユーザターミナルの位置を判定する、
ことからなるユーザターミナルの位置判定装置。
【請求項１５４】
携帯電話信号はグローバルシステムモバイル通信（ＧＳＭ）信号であり、距離信号はタイミングアドバンスパラメータである請求項１５３記載の装置。
【請求項１５５】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１５４記載の装置。
【請求項１５６】
プロセッサ手段は携帯電話信号の既知の成分に基づいてユーザターミナルと携帯電話基地局との間の第２の擬似距離を判定し；
プロセッサ手段は第１および第２の擬似距離と距離とテレビ信号送信機の位置と携帯電話基地局の位置とに基づいてユーザターミナルの位置を判定する、
ことからなる請求項１５４記載の装置。
【請求項１５７】
携帯電話信号の既知の成分はトレーニングシーケンスである請求項１５６記載の装置。
【請求項１５８】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１５７記載の装置。
【請求項１５９】
受信手段はユーザターミナルにおいて全地球位置発見衛星からの全地球位置発見信号を受信し；
プロセッサ手段は全地球位置発見信号に基づいてユーザターミナルと全地球位置発見衛星との間の第３の擬似距離を判定し；
プロセッサ手段は第１、第２および第３の擬似距離と距離とテレビ信号送信機の位置と携帯電話基地局の位置と全地球位置発見衛星の位置とに基づいてユーザターミナルの位置を判定する、
ことからなる請求項１５６記載の装置。
【請求項１６０】
受信手段はユーザターミナルにおいて全地球位置発見衛星からの全地球位置発見信号を受信し；
プロセッサ手段は地球位置発見信号に基づいてユーザターミナルと全地球位置発見衛星との間の第２の擬似距離を判定し；
プロセッサ手段は第１および第２の擬似距離と距離とテレビ信号送信機の位置と携帯電話基地局の位置と全地球位置発見衛星の位置とに基づいてユーザターミナルの位置を判定する、
ことからなる請求項１５３記載の装置。
【請求項１６１】
テレビ信号送信機からのテレビ放送信号をユーザターミナルで受信する受信手段と；
テレビ放送信号の既知の成分に基づいてユーザターミナルとテレビ信号送信機との間の第１の擬似距離を判定するプロセッサ手段とからなり；
受信手段はユーザターミナルにおいて携帯電話基地局からの携帯電話信号を受信し；
プロセッサ手段は携帯電話信号の既知の成分に基づいてユーザターミナルと携帯電話基地局との間の第２の擬似距離を判定し；
第１および第２の擬似距離をこれらの第１および第２の擬似距離とテレビ信号送信機の位置と携帯電話基地局の位置とに基づいてユーザターミナルの位置を判定するよう構成された位置確認サーバに送信する送信手段を備えてなる、
ユーザターミナルの位置判定装置。
【請求項１６２】
携帯電話信号はグローバルシステムモバイル通信（ＧＳＭ）信号である請求項１６１記載の装置。
【請求項１６３】
携帯電話信号の既知の成分はトレーニングシーケンスである請求項１６２記載の装置。
【請求項１６４】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１６３記載の装置。
【請求項１６５】
携帯電話信号は符号分割多重接続（ＣＤＭＡ）信号である請求項１６１記載の装置。
【請求項１６６】
携帯電話信号の既知の成分は非変調ＰＮシーケンスである請求項１６５記載の装置。
【請求項１６７】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１６６記載の装置。
【請求項１６８】
受信手段はユーザターミナルにおいて全地球位置発見衛星からの全地球位置発見信号を受信し；
プロセッサ手段は全地球位置発見信号に基づいてユーザターミナルと全地球位置発見衛星との間の第３の擬似距離を判定し；
送信手段は第１、第２および第３の擬似距離をこれらの第１、第２および第３の擬似距離とテレビ信号送信機の位置と携帯電話基地局の位置と全地球位置発見衛星の位置とに基づいてユーザターミナルの位置を判定するよう構成された位置確認サーバに送信する、
ことからなる請求項１６１記載の装置。
【請求項１６９】
テレビ信号送信機からのテレビ放送信号をユーザターミナルで受信する受信手段と；
テレビ放送信号の既知の成分に基づいてユーザターミナルとテレビ信号送信機との間の擬似距離を判定するプロセッサ手段とからなり；
受信手段はユーザターミナルにおいて携帯電話基地局からの携帯電話信号を受信し、この携帯電話信号は距離信号を含むものであり；
プロセッサ手段は距離信号に基づいてユーザターミナルと携帯電話基地局との間の距離を判定し；
擬似距離および距離をこれらの擬似距離および距離とテレビ信号送信機の位置と携帯電話基地局の位置とに基づいてユーザターミナルの位置を判定するよう構成された位置確認サーバに送信する送信手段を備えてなる、
ユーザターミナルの位置判定装置。
【請求項１７０】
携帯電話信号はグローバルシステムモバイル通信（ＧＳＭ）信号である請求項１６９記載の装置。
【請求項１７１】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１７０記載の装置。
【請求項１７２】
プロセッサ手段は携帯電話信号の既知の成分に基づいてユーザターミナルと携帯電話基地局との間の第２の擬似距離を判定し；
送信手段は第１および第２の擬似距離と距離とをこれらの第１および第２の擬似距離と距離とテレビ信号送信機の位置と携帯電話基地局の位置とに基づいてユーザターミナルの位置を判定するよう構成された位置確認サーバに送信する、
ことからなる請求項１７０記載の装置。
【請求項１７３】
携帯電話信号の既知の成分はトレーニングシーケンスである請求項１７２記載の装置。
【請求項１７４】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１７３記載の装置。
【請求項１７５】
受信手段はユーザターミナルにおいて全地球位置発見衛星からの全地球位置発見信号を受信し；
プロセッサ手段は全地球位置発見信号に基づいてユーザターミナルと全地球位置発見衛星との間の第３の擬似距離を判定し；
送信手段は第１、第２および第３の擬似距離と距離とをこれらの第１、第２および第３の擬似距離と距離とテレビ信号送信機の位置と携帯電話基地局の位置と全地球位置発見衛星の位置とに基づいてユーザターミナルの位置を判定するよう構成された位置確認サーバに送信する、
ことからなる請求項１７２記載の装置。
【請求項１７６】
受信手段はユーザターミナルにおいて全地球位置発見衛星からの全地球位置発見信号を受信し；
プロセッサ手段は全地球位置発見信号に基づいてユーザターミナルと全地球位置発見衛星との間の第２の擬似距離を判定し；
送信手段は第１および第２の擬似距離と距離とをこれらの第１および第２の擬似距離と距離とテレビ信号送信機の位置と携帯電話基地局の位置と全地球位置発見衛星の位置とに基づいてユーザターミナルの位置を判定するよう構成された位置確認サーバに送信する、
ことからなる請求項１６９記載の装置。
【請求項１７７】
ユーザターミナルから第１の擬似距離を受信する受信手段を備え、この第１の擬似距離はユーザターミナルとテレビ信号送信機との間においてこのテレビ信号送信機によって送信されたテレビ放送信号の既知の成分に基づいて判定され；
受信手段はユーザターミナルから第２の擬似距離を受信し、この第２の擬似距離はユーザターミナルと携帯電話基地局との間においてこの携帯電話基地局によって送信された携帯電話信号の既知の成分に基づいて判定され；
第１および第２の擬似距離とテレビ信号送信機の位置と携帯電話基地局の位置とに基づいてユーザターミナルの位置を判定するプロセッサ手段を備えてなる、
ユーザターミナルの位置判定装置。
【請求項１７８】
携帯電話信号はグローバルシステムモバイル通信（ＧＳＭ）信号である請求項１７７記載の装置。
【請求項１７９】
携帯電話信号の既知の成分はトレーニングシーケンスである請求項１７８記載の装置。
【請求項１８０】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１７９記載の装置。
【請求項１８１】
携帯電話信号は符号分割多重接続（ＣＤＭＡ）信号である請求項１７７記載の装置。
【請求項１８２】
携帯電話信号の既知の成分は非変調ＰＮシーケンスである請求項１８１記載の装置。
【請求項１８３】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１８２記載の装置。
【請求項１８４】
受信手段は全地球位置発見衛星によって送信された全地球位置発見信号に基づいたユーザターミナルと全地球位置発見衛星との間の第３の擬似距離を受信し；
プロセッサ手段は第１、第２および第３の擬似距離とテレビ信号送信機の位置と携帯電話基地局の位置と全地球位置発見衛星の位置とに基づいてユーザターミナルの位置を判定する、
ことからなる請求項１７７記載の装置。
【請求項１８５】
ユーザターミナルとテレビ信号送信機との間の擬似距離を受信する受信手段を備え、この擬似距離はテレビ信号送信機によって送信されたテレビ放送信号の既知の成分に基づいて判定され；
受信手段はユーザターミナルと携帯電話基地局との間の距離を受信し、この距離は携帯電話基地局によって送信された距離信号に基づいて判定され；
擬似距離および距離とテレビ信号送信機の位置と携帯電話基地局の位置とに基づいてユーザターミナルの位置を判定するプロセッサ手段を備えてなる、
ユーザターミナルの位置判定装置。
【請求項１８６】
携帯電話信号はグローバルシステムモバイル通信（ＧＳＭ）信号である請求項１８５記載の装置。
【請求項１８７】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１８６記載の装置。
【請求項１８８】
受信手段はユーザターミナルと携帯電話基地局との間の第２の擬似距離を受信し、この第２の擬似距離は携帯電話信号の既知の成分に基づいて判定され；
プロセッサ手段は第１および第２の擬似距離と距離とテレビ信号送信機の位置と携帯電話基地局の位置とに基づいてユーザターミナルの位置を判定する、
ことからなる請求項１８６記載の装置。
【請求項１８９】
携帯電話信号の既知の成分はトレーニングシーケンスである請求項１８８記載の装置。
【請求項１９０】
テレビ放送信号は：
アメリカテレビ規格委員会（ＡＴＳＣ）信号と；
欧州通信規格機構（ＥＴＳＩ）のデジタルビデオ放送地上波（ＤＶＢ−Ｔ）信号と；
ジャパニーズインテグレーテッドサービスデジタル放送地上波（ＩＳＤＢ−Ｔ）信号と；
アナログテレビ信号の一群から選択される請求項１８９記載の装置。
【請求項１９１】
受信手段はユーザターミナルと全地球位置発見衛星との間の第３の擬似距離を受信し、この第３の擬似距離は全地球位置発見衛星によって送信された全地球位置発見信号に基づいて判定され；
プロセッサ手段は第１、第２および第３の擬似距離と距離とテレビ信号送信機の位置と携帯電話基地局の位置と全地球位置発見衛星の位置とに基づいてユーザターミナルの位置を判定する、
ことからなる請求項１８８記載の装置。
【請求項１９２】
受信手段はユーザターミナルと全地球位置発見衛星との間の第２の擬似距離を受信し、この第２の擬似距離は全地球位置発見衛星によって送信された全地球位置発見信号に基づいて判定され；
プロセッサ手段は第１および第２の擬似距離と距離とテレビ信号送信機の位置と携帯電話基地局の位置と全地球位置発見衛星の位置とに基づいてユーザターミナルの位置を判定する、
ことからなる請求項１８５記載の装置。
【発明の詳細な説明】
【関連出願に対しての相互参照】
【０００１】
この出願は、２００１年６月２１日付で提出されたジェームズ・Ｊ・スピルカー氏ならびにマシュー・ラビノヴィッツ氏等による米国非仮特許出願第０９／８８７１５８号、“デジタルテレビ放送信号を使用した位置確認”；２００１年８月１７日付で提出されたジェームズ・Ｊ・スピルカー氏ならびにマシュー・ラビノヴィッツ氏等による米国非仮特許出願第０９／９３２０１０号、“地上波デジタル映像テレビ放送信号を使用した位置確認”；２００２年１月２２日付で提出されたジェームズ・Ｊ・スピルカー氏ならびにマシュー・ラビノヴィッツ氏等による米国非仮特許出願第１０／０５４３０２号、“アナログテレビ放送信号を使用した位置確認”；２００２年５月３１日付で提出されたジェームズ・Ｊ・スピルカー氏ならびにマシュー・ラビノヴィッツ氏等による米国非仮特許出願第１０／１５９８３１号、“ゴースト対応基準テレビ信号を使用した位置確認”；２００２年１月２２日付で提出されたジェームズ・Ｊ・スピルカー氏ならびにマシュー・ラビノヴィッツ氏等による米国非仮特許出願第１０／０５４２６２号、“デジタルテレビ信号のタイプゲートされた遅延ロックループ追跡”の一部継続出願であり、これらを全体的に参照に組み入れてある。
【０００２】
この出願は、２００１年８月２９日付で提出されたジェームズ・Ｊ・スピルカー氏による米国仮特許出願第６０／３１５９８３号“ＧＳＭ測定によって支援されたデジタルテレビ位置確認”；２００１年１０月１５日付で提出されたジミー・Ｋ・オームラ氏による米国仮特許出願第６０／３２９５９２号“ＣＤＭＡ測定によって支援されたデジタルテレビ位置確認”；２００２年３月４日付で提出されたジェームズ・Ｊ・スピルカー氏による米国仮特許出願第６０／３６１７６２号“ＧＰＳによって強化されたＤＴＶ位置確認”；２００２年５月７日付で提出されたジミー・Ｋ・オームラ氏による米国仮特許出願第６０／３７８８１９号“ＴＶに基づいた携帯電話位置確認システムとＥ−ＯＴＤの統合”の権利を主張するものであり、これらは全体的に参照に組み入れてある。
【発明の背景】
【０００３】
この発明は一般的に位置測定に係り、特にテレビ放送信号と携帯電話信号とを使用する位置測定に関する。
【０００４】
無線信号を使用した二次元の緯度／経度位置確認システムの方式が以前から知られている。広範な用途において、ロランＣおよびオメガとして知られる地上システムならびにトランジットとして知られる衛星に基づいたシステムが使用されている。また普及が拡大している別の衛星に基づいたシステムが全地球位置把握システム（ＧＰＳ）である。
【０００５】
１９７４年に初めて考案されたＧＰＳは位置確認、ナビゲーション、測量、時間時間伝達に広く使用されている。ＧＰＳシステムは次同期の１２時間軌道内の２４個の軌道衛星の集合に基づいている。各衛星は精密なクロックを搭載するとともに擬似距離を決定するために正確に追尾することができる擬似ノイズ信号を伝送する。４個あるいはそれより多い衛星を追尾することによって、世界中で三次元における正確な位置をリアルタイムで判定することができる。より詳細な点については、１９９６年、ワシントンＤＣの衛星通信フォーラムにおけるＢ．Ｗ．パーキンソン氏およびＪ．Ｊ．スピルカー・ジュニア氏による“全地球位置把握システム：原理および応用”第１および２巻に記載されている。
【０００６】
ＧＰＳはナビゲーションおよび位置確認技術を革命的に進化させた。しかしながらＧＰＳは場合よって効果が低下する。ＧＰＳ信号は比較的低い出力（１００ワット未満）で大きな距離を伝送されるため、受信される信号の強さは比較的低いものとなる（多方向アンテナによって受信した場合−１６０ｄＢの領域となる）。従って障害物が存在する場合あるいは屋内においては信号が限定的にしか利用できないかあるいは利用不可能となる。
【０００７】
またアナログ方式のＮＴＳＣテレビ信号を使用して位置を検出するシステムも提案されている。この提案は１９９６年４月２３日に特許された米国特許第５５１０８０１号“テレビ放送信号を使用した位置判定システムおよび方法”に記載されている。しかしながら、現状のアナログＴＶ信号はＴＶのセットスイープ回路を比較的粗く同期化するための水平および垂直パルスを含んでいる。さらに、２００６年に連邦通信委員会（ＦＣＣ）がＮＴＳＣ信号を停止して高付加価値のスペクトルを再割り当てすることを判断する予定になっており、従ってより高付加価値の目的に対して入札が行われる。
【発明の概要】
【０００８】
一般的に、１つの観点において、ユーザターミナルの位置を判定するための方法、装置、およびコンピュータによって読み込み可能な媒体であることを特徴とする。これはテレビ信号送信機からのテレビ放送信号をユーザターミナルで受信し；テレビ放送信号の既知の成分に基づいてユーザターミナルとテレビ信号送信機との間の第１の擬似距離を判定し；ユーザターミナルにおいて携帯電話基地局からの携帯電話信号を受信し；携帯電話信号の既知の成分に基づいてユーザターミナルと携帯電話基地局との間の第２の擬似距離を判定し；第１および第２の擬似距離とテレビ信号送信機の位置と携帯電話基地局の位置とに基づいてユーザターミナルの位置を判定することからなる。
【０００９】
典型的な実施形態は以下の特徴のうちの１つまたは複数を含むことができる。携帯電話信号はグローバルシステムモバイル通信（ＧＳＭ）信号である。携帯電話信号の既知の成分はトレーニングシーケンスである。テレビ放送信号は、アメリカテレビ規格委員会（ＡＴＳＣ）信号、欧州通信規格機構（ＥＴＳＩ）のデジタルビデオ放送地上波（ＤＶＢ−Ｔ）信号、ジャパニーズインテグレーテッドサービスデジタル放送地上波（ＩＳＤＢ−Ｔ）信号、ならびにアナログテレビ信号の一群から選択される。携帯電話信号は符号分割多重接続（ＣＤＭＡ）信号である。携帯電話信号の既知の成分は非変調ＰＮシーケンスである。実施形態は、ユーザターミナルにおいて全地球位置発見衛星からの全地球位置発見信号を受信し；全地球位置発見信号に基づいてユーザターミナルと全地球位置発見衛星との間の第３の擬似距離を判定し；第１、第２および第３の擬似距離とテレビ信号送信機の位置と携帯電話基地局の位置と全地球位置発見衛星の位置とに基づいてユーザターミナルの位置を判定することを含むことができる。
【００１０】
一般的に、１つの観点において、ユーザターミナルの位置を判定するための方法、装置、およびコンピュータによって読み込み可能な媒体であることを特徴とする。これはテレビ信号送信機からのテレビ放送信号をユーザターミナルで受信し；テレビ放送信号の既知の成分に基づいてユーザターミナルとテレビ信号送信機との間の擬似距離を判定し；ユーザターミナルにおいて携帯電話基地局からの携帯電話信号を受信し、この携帯電話信号は距離信号を含むものであり；距離信号に基づいてユーザターミナルと携帯電話基地局との間の距離を判定し；擬似距離および距離とテレビ信号送信機の位置と携帯電話基地局の位置とに基づいてユーザターミナルの位置を判定することからなる。
【００１１】
典型的な実施形態は以下の特徴のうちの１つまたは複数を含むことができる。携帯電話信号はグローバルシステムモバイル通信（ＧＳＭ）信号であり、距離信号はタイミングアドバンスパラメータである。テレビ放送信号は、アメリカテレビ規格委員会（ＡＴＳＣ）信号、欧州通信規格機構（ＥＴＳＩ）のデジタルビデオ放送地上波（ＤＶＢ−Ｔ）信号、ジャパニーズインテグレーテッドサービスデジタル放送地上波（ＩＳＤＢ−Ｔ）信号、ならびにアナログテレビ信号の一群から選択される。携帯電話信号は符号分割多重接続（ＣＤＭＡ）信号である。実施形態は、携帯電話信号の既知の成分に基づいてユーザターミナルと携帯電話基地局との間の第２の擬似距離を判定し；第１および第２の擬似距離と距離とテレビ信号送信機の位置と携帯電話基地局の位置とに基づいてユーザターミナルの位置を判定することを含むことができる。携帯電話信号の既知の成分はトレーニングシーケンスである。実施形態は、ユーザターミナルにおいて全地球位置発見衛星からの全地球位置発見信号を受信し；全地球位置発見信号に基づいてユーザターミナルと全地球位置発見衛星との間の第３の擬似距離を判定し；第１、第２および第３の擬似距離と距離とテレビ信号送信機の位置と携帯電話基地局の位置と全地球位置発見衛星の位置とに基づいてユーザターミナルの位置を判定することを含むことができる。実施形態は、ユーザターミナルにおいて全地球位置発見衛星からの全地球位置発見信号を受信し；全地球位置発見信号に基づいてユーザターミナルと全地球位置発見衛星との間の第２の擬似距離を判定し；第１および第２の擬似距離と距離とテレビ信号送信機の位置と携帯電話基地局の位置と全地球位置発見衛星の位置とに基づいてユーザターミナルの位置を判定することを含むことができる。
【００１２】
一般的に、１つの観点において、ユーザターミナルの位置を判定するための方法、装置、およびコンピュータによって読み込み可能な媒体であることを特徴とする。これはテレビ信号送信機からのテレビ放送信号をユーザターミナルで受信し；テレビ放送信号の既知の成分に基づいてユーザターミナルとテレビ信号送信機との間の第１の擬似距離を判定し；ユーザターミナルにおいて携帯電話基地局からの携帯電話信号を受信し；携帯電話信号の既知の成分に基づいてユーザターミナルと携帯電話基地局との間の第２の擬似距離を判定し；第１および第２の擬似距離をこれらの第１および第２の擬似距離とテレビ信号送信機の位置と携帯電話基地局の位置とに基づいてユーザターミナルの位置を判定するよう構成された位置確認サーバに送信することからなる。
【００１３】
典型的な実施形態は以下の特徴のうちの１つまたは複数を含むことができる。携帯電話信号はグローバルシステムモバイル通信（ＧＳＭ）信号である。携帯電話信号の既知の成分はトレーニングシーケンスである。テレビ放送信号は、アメリカテレビ規格委員会（ＡＴＳＣ）信号、欧州通信規格機構（ＥＴＳＩ）のデジタルビデオ放送地上波（ＤＶＢ−Ｔ）信号、ジャパニーズインテグレーテッドサービスデジタル放送地上波（ＩＳＤＢ−Ｔ）信号、ならびにアナログテレビ信号の一群から選択される。携帯電話信号は符号分割多重接続（ＣＤＭＡ）信号である。携帯電話信号の既知の成分は非変調ＰＮシーケンスである。実施形態は、ユーザターミナルにおいて全地球位置発見衛星からの全地球位置発見信号を受信し；全地球位置発見信号に基づいてユーザターミナルと全地球位置発見衛星との間の第３の擬似距離を判定し；第１、第２および第３の擬似距離をこれらの第１、第２および第３の擬似距離とテレビ信号送信機の位置と携帯電話基地局の位置と全地球位置発見衛星の位置とに基づいてユーザターミナルの位置を判定するよう構成された位置確認サーバに送信することを含むことができる。
【００１４】
一般的に、１つの観点において、ユーザターミナルの位置を判定するための方法、装置、およびコンピュータによって読み込み可能な媒体であることを特徴とする。これはテレビ信号送信機からのテレビ放送信号をユーザターミナルで受信し；テレビ放送信号の既知の成分に基づいてユーザターミナルとテレビ信号送信機との間の擬似距離を判定し；ユーザターミナルにおいて携帯電話基地局からの携帯電話信号を受信し、この携帯電話信号は距離信号を含むものであり；距離信号に基づいてユーザターミナルと携帯電話基地局との間の距離を判定し；擬似距離および距離をこれらの擬似距離および距離とテレビ信号送信機の位置と携帯電話基地局の位置とに基づいてユーザターミナルの位置を判定するよう構成された位置確認サーバに送信することからなる。
【００１５】
典型的な実施形態は以下の特徴のうちの１つまたは複数を含むことができる。携帯電話信号はグローバルシステムモバイル通信（ＧＳＭ）信号であり、距離信号はタイミングアドバンスパラメータである。テレビ放送信号は、アメリカテレビ規格委員会（ＡＴＳＣ）信号、欧州通信規格機構（ＥＴＳＩ）のデジタルビデオ放送地上波（ＤＶＢ−Ｔ）信号、ジャパニーズインテグレーテッドサービスデジタル放送地上波（ＩＳＤＢ−Ｔ）信号、ならびにアナログテレビ信号の一群から選択される。実施形態は、携帯電話信号の既知の成分に基づいてユーザターミナルと携帯電話基地局との間の第２の擬似距離を判定し；第１および第２の擬似距離と距離とをこれらの第１および第２の擬似距離と距離とテレビ信号送信機の位置と携帯電話基地局の位置とに基づいてユーザターミナルの位置を判定するよう構成された位置確認サーバに送信することを含むことができる。携帯電話信号の既知の成分はトレーニングシーケンスである。実施形態は、ユーザターミナルにおいて全地球位置発見衛星からの全地球位置発見信号を受信し；全地球位置発見信号に基づいてユーザターミナルと全地球位置発見衛星との間の第３の擬似距離を判定し；第１、第２および第３の擬似距離と距離とをこれらの第１、第２および第３の擬似距離と距離とテレビ信号送信機の位置と携帯電話基地局の位置と全地球位置発見衛星の位置とに基づいてユーザターミナルの位置を判定するよう構成された位置確認サーバに送信することを含むことができる。実施形態は、ユーザターミナルにおいて全地球位置発見衛星からの全地球位置発見信号を受信し；全地球位置発見信号に基づいてユーザターミナルと全地球位置発見衛星との間の第２の擬似距離を判定し；第１および第２の擬似距離と距離とをこれらの第１および第２の擬似距離と距離とテレビ信号送信機の位置と携帯電話基地局の位置と全地球位置発見衛星の位置とに基づいてユーザターミナルの位置を判定するよう構成された位置確認サーバに送信することを含むことができる。
【００１６】
一般的に、１つの観点において、ユーザターミナルの位置を判定するための方法、装置、およびコンピュータによって読み込み可能な媒体であることを特徴とする。これはユーザターミナルから第１の擬似距離を受信し、この第１の擬似距離はユーザターミナルとテレビ信号送信機との間においてこのテレビ信号送信機によって送信されたテレビ放送信号の既知の成分に基づいて判定され；ユーザターミナルから第２の擬似距離を受信し、この第２の擬似距離はユーザターミナルと携帯電話基地局との間においてこの携帯電話基地局によって送信された携帯電話信号の既知の成分に基づいて判定され；第１および第２の擬似距離とテレビ信号送信機の位置と携帯電話基地局の位置とに基づいてユーザターミナルの位置を判定することからなる。携帯電話信号はグローバルシステムモバイル通信（ＧＳＭ）信号である。携帯電話信号の既知の成分はトレーニングシーケンスである。テレビ放送信号は、アメリカテレビ規格委員会（ＡＴＳＣ）信号、欧州通信規格機構（ＥＴＳＩ）のデジタルビデオ放送地上波（ＤＶＢ−Ｔ）信号、ジャパニーズインテグレーテッドサービスデジタル放送地上波（ＩＳＤＢ−Ｔ）信号、ならびにアナログテレビ信号の一群から選択される。携帯電話信号は符号分割多重接続（ＣＤＭＡ）信号である。携帯電話信号の既知の成分は非変調ＰＮシーケンスである。実施形態は、全地球位置発見衛星によって送信された全地球位置発見信号に基づいたユーザターミナルと全地球位置発見衛星との間の第３の擬似距離を受信し；第１、第２および第３の擬似距離とテレビ信号送信機の位置と携帯電話基地局の位置と全地球位置発見衛星の位置とに基づいてユーザターミナルの位置を判定することを含むことができる。
【００１７】
一般的に、１つの観点において、ユーザターミナルの位置を判定するための方法、装置、およびコンピュータによって読み込み可能な媒体であることを特徴とする。これはユーザターミナルからこのユーザターミナルとテレビ信号送信機との間の擬似距離を受信し、この擬似距離はテレビ信号送信機によって送信されたテレビ放送信号の既知の成分に基づいて判定され；ユーザターミナルと携帯電話基地局との間の距離を受信し、この距離は携帯電話基地局によって送信された距離信号に基づいて判定され；擬似距離および距離とテレビ信号送信機の位置と携帯電話基地局の位置とに基づいてユーザターミナルの位置を判定することからなる。携帯電話信号はグローバルシステムモバイル通信（ＧＳＭ）信号であり、距離信号がタイミングアドバンスパラメータである。携帯電話信号の既知の成分はトレーニングシーケンスである。テレビ放送信号は、アメリカテレビ規格委員会（ＡＴＳＣ）信号、欧州通信規格機構（ＥＴＳＩ）のデジタルビデオ放送地上波（ＤＶＢ−Ｔ）信号、ジャパニーズインテグレーテッドサービスデジタル放送地上波（ＩＳＤＢ−Ｔ）信号、ならびにアナログテレビ信号の一群から選択される。実施形態は、ユーザターミナルと携帯電話基地局との間の第２の擬似距離を受信し、この第２の擬似距離は携帯電話基地局によって送信された携帯電話信号の既知の成分に基づいて判定され；第１および第２の擬似距離と距離とテレビ信号送信機の位置と携帯電話基地局の位置とに基づいてユーザターミナルの位置を判定することを含むことができる。実施形態は、ユーザターミナルと全地球位置発見衛星との間の第３の擬似距離を受信し、この第３の擬似距離は全地球位置発見衛星によって送信された全地球位置発見信号に基づいて判定され；第１、第２および第３の擬似距離と距離とテレビ信号送信機の位置と携帯電話基地局の位置と全地球位置発見衛星の位置とに基づいてユーザターミナルの位置を判定することを含むことができる。実施形態は、ユーザターミナルと全地球位置発見衛星との間の第２の擬似距離を受信し、この第２の擬似距離は全地球位置発見衛星によって送信された全地球位置発見信号に基づいて判定され；第１および第２の擬似距離と距離とテレビ信号送信機の位置と携帯電話基地局の位置と全地球位置発見衛星の位置とに基づいてユーザターミナルの位置を判定することを含むことができる。
【詳細な説明】
【００１８】
序論
ユーザターミナルの位置を判定するためにテレビ放送信号が使用される。アメリカテレビ規格委員会（ＡＴＳＣ）のデジタルテレビ信号（ＤＴＶ）を使用してユーザターミナルの位置を判定する技術は、通常通り付与され出願中である２００１年６月２１日付で提出されたジェームズ・Ｊ・スピルカー氏ならびにマシュー・ラビノヴィッツ氏等による米国非仮特許出願第０９／８８７１５８号、“デジタルテレビ放送信号を使用した位置確認”に記載されており、その開示は全体的に参照に組み入れてある。欧州通信規格機構（ＥＴＳＩ）のデジタルビデオ放送地上波（ＤＶＢ−Ｔ）信号を使用してユーザターミナルの位置を判定する技術は、通常通り付与され出願中である２００１年８月１７日付で提出されたジェームズ・Ｊ・スピルカー氏ならびにマシュー・ラビノヴィッツ氏等による米国非仮特許出願第０９／９３２０１０号、“地上波デジタル映像テレビ放送信号を使用した位置確認”に記載されており、その開示は全体的に参照に組み入れてある。ジャパニーズインテグレーテッドサービスデジタル放送地上波（ＩＳＤＢ−Ｔ）信号を使用してユーザターミナルの位置を判定する技術は、通常通り付与され出願中である２００１年１１月９日付で提出されたジェームズ・Ｊ・スピルカー氏による米国仮特許出願第６０／３３７８３４号、“ＩＳＤＢ−Ｔデジタルテレビ信号を使用した無線位置確認”に記載されており、その開示は全体的に参照に組み入れてある。アナログ方式のＮＴＳＣテレビ（ＴＶ）信号使用してユーザターミナルの位置を判定する技術は、通常通り付与され出願中である２００２年１月２２日付で提出されたジェームズ・Ｊ・スピルカー氏ならびにマシュー・ラビノヴィッツ氏等による米国非仮特許出願第１０／０５４３０２号、“アナログテレビ放送信号を使用した位置確認”ならびに代理人番号ＲＳＭ００８００１番の“ゴースト対応基準テレビ信号を使用した位置確認”に記載されており、その開示は全体的に参照に組み入れてある。
【００１９】
これらのテレビ信号のそれぞれがそのテレビ信号の送信機への擬似距離を得るために使用することができる成分を含んでいる。複数の擬似距離が既知でありまた送信機の位置が既知である場合、ユーザターミナルの位置を正確に判定することができる。ＡＴＳＣデジタルテレビ信号内における適宜な成分には、ＡＴＳＣデータフレームにおけるフィールド同期セグメントおよびＡＴＳＣデータフレームにおけるデータセグメント内の同期セグメント等の同期コードが含まれる。ＥＴＳＩ・ＤＶＢ−ＴおよびＩＳＤＢ−Ｔデジタルテレビ信号内のおける適宜な成分には、スキャッタパイロットキャリアが含まれる。ＮＴＳＣアナログテレビ信号における適宜な成分には、水平同期パルス、水平ブランキングパルス、水平同期パルスおよび水平ブランキングパルスの両方、ゴースト対応基準信号、ならびに垂直インタバルテスト信号が含まれる。
【００２０】
最も都会的な地域においては、３個またはそれ以上の異なった角度の擬似距離を測定してユーザターミナルの位置を判定するために充分な数の異なった位置からのテレビ放送信号が存在している。しかしながら、場所によっては丘陵、建物、その他の障害物がＴＶ信号を妨害することがあり得る。他方、ユーザターミナルが必要な数のＴＶ送信機から遠く離れすぎた位置に存在することもあり得る。このような場合残りの擬似距離は携帯電話基地局によって送信された信号を使用して提供することができる。加えて、擬似距離は例えばＧＳＭタイミングアドバンスパラメータ等の携帯電話基地局によって送信される距離信号によって保管することができる。テレビ放送信号ならびに携帯電話基地局によって送信された信号を使用した位置確認技術は、通常通り付与され出願中である２００１年８月２９日付で提出されたジェームズ・Ｊ・スピルカー氏による米国仮特許出願第６０／３１５９８３号“ＧＳＭ測定によって支援されたデジタルテレビ位置確認”；２００１年１０月１５日付で提出されたジミー・Ｋ・オームラ氏による米国仮特許出願第６０／３２９５９２号“ＣＤＭＡ測定によって支援されたデジタルテレビ位置確認”ならびに２００２年５月７日付で提出されたジミー・Ｋ・オームラ氏による米国仮特許出願第６０／３７８８１９号“ＴＶに基づいた携帯電話位置確認システムとＥ−ＯＴＤの統合”に記載されており、その開示は全体的に参照に組み入れてある。これらの技術を使用したユーザターミナルはテレビ放送信号と携帯電話基地局の信号の組み合わせを使用して位置を判定することができる。以下に詳細に記述するように、多くの実施形態において、使用される携帯電話信号はグローバルモバイル通信システム（ＧＳＭ）信号と符号分割多重接続（ＣＤＭＡ）信号である。
【００２１】
標準全地球位置把握システム（ＧＰＳ）を使用して追加的な擬似距離を提供することができる。テレビ放送信号とＧＰＳ信号を使用してユーザターミナルの位置判定を強化する技術は、２００２年３月４日付で提出されたジェームズ・Ｊ・スピルカー氏による米国仮特許出願第６０／３６１７６２号“ＧＰＳによって強化されたＤＴＶ位置確認”に記載されており、その開示は全体的に参照に組み入れてある。これらの技術を使用したユーザターミナルは、テレビ放送信号と携帯電話基地局の信号とＧＰＳ信号の組み合わせを使用して位置を判定することができる。
【００２２】
図１を参照すると、例示的な実施形態１００がユーザターミナル１０２を含んでおり、これは無線接続を介して基地局１０４と交信する。実施形態によってはユーザターミナル１０２が無線電話でありまた基地局１０４は無線電話基地局である。実施形態によっては基地局１０４がモバイルＭＡＮ（メトロポリタンネットワーク）またはＷＡＮ（ワイドエリアネットワーク）の一部とされる。
【００２３】
図１は本発明の種々の側面を示すためのものであるが、本発明はこの実施形態に限定されるものではない。例えば、“ユーザターミナル”は、ここで記述される位置確認を実施することができるいずれかの対象物を示している。ユーザターミナルの例には、ＰＤＡ、携帯電話、自動車および車両、またはここで記述される位置確認を実施することができるチップまたはソフトウェアを含むことができるいずれかの対象物が含まれる。対象物は、“ターミナル”であること、または“ユーザ”によって操作されることに限定されない。
【００２４】
位置確認サーバによって実行される位置確認
図２には実施形態１００の動作が示されている。ユーザターミナル１０２は１つまたは複数のテレビ送信機１０６Ａ、１０６Ｂないし１０６Ｎから放送信号を受信する（ステップ２０２）。図１を参照すると、ＴＶ送信機１０６ＡはＥＴＳＩ送信機であり、ＴＶ送信機１０６ＢはＮＴＳＣ送信機、ＴＶ送信機１０６ＮはＡＴＳＣ送信機であるが、日本で使用されているＩＳＤＢ信号を含むその他の組み合わせも考えられる。
【００２５】
どのＴＶチャネルを位置確認に使用するかを選択するために多様な方式を使用することができる。一実施例において、位置確認サーバ１１０が測定に最適なＴＶチャネルをユーザターミナル１０２に通知する。実施例によっては、ユーザターミナル１０２は基地局１０４を介して位置確認サーバ１１０とメッセージを交換する。実施例によっては、ユーザターミナル１０２は基地局１０４の識別情報と記憶されている基地局とＴＶチャネルの相関表とに基づいて測定するＴＶチャネルを選択する。実施例によっては、ユーザターミナル１０２はユーザによって入力された例えば最も近い都市名等のこのユーザターミナルの概略的な位置を示す位置情報を受領し；処理のためのＴＶチャネルを選択するためにこの情報を使用する。実施例によっては、ユーザターミナル１０２は使用可能なＴＶチャネルをスキャンし、この使用可能なＴＶチャネルの出力レベルに基づいて位置の指紋を作成する。ユーザターミナル１０２はこの指紋を既知の位置の既知の指紋に一致する記憶された表と比較し処理のためのＴＶチャネルを選択する。
【００２６】
ユーザターミナル１０２はこのユーザターミナルと各ＴＶ送信機１０６との間の擬似距離を判定する（ステップ２０４）。擬似距離は、送信機１０８の所定のＴＶ放送信号の成分の送信時間とユーザターミナル１０２におけるこの成分の受信時間との間の時間差（または等位距離）、ならびにユーザターミナルにおけるクロックオフセットを示している。
【００２７】
ユーザターミナル１０２は位置確認サーバ１１０に擬似距離を送信する。実施形態によっては、位置確認サーバ１１０はここで記述される動作を実施するよう設計されたソフトウェアを実行する汎用コンピュータとして構成される。別の実施形態においては、位置確認サーバがＡＳＩＣ（特定用途集積回路）またはそれと同等な装置として構成される。実施形態によっては、位置確認サーバ１１０は基地局１０４内あるいはその近傍に設置される。
【００２８】
ＴＶ信号は一群のモニタユニット１０８Ａないし１０８Ｎによっても受信される。各モニタユニット１０８は無線送受信機およびプロセッサからなる小さなユニットとして構成することができ、電柱、ＴＶ送信機１０６または基地局１０４等の任意の場所に設置することができる。実施形態によっては、モニタユニット１０８は衛星上に設けることができる。
【００２９】
各モニタユニット１０８は、これが受信したＴＶ信号を発信した各送信機１０６について、ＴＶ送信機のローカルクロックと基準クロックとの間のタイムオフセットを測定する。実施形態によっては、基準クロックはＧＰＳ信号によって伝送される。基準クロックを使用することによって、複数のモニタユニット１０８が使用される場合に各モニタユニット１０８が基準クロックに対してタイムオフセットを判定するため、各ＴＶ送信機１０６に対してタイムオフセットを判定することが可能になる。従って、モニタユニット１０８のローカルクロック内のオフセットはこの判定に影響を与えない。モニタユニット１０８は、米国特許出願０９／８８７１５８号、０９／９３２０１０号、ならびに１０／０５４３０２号の各文献に記載されており、これらは全体的に参照に組み入れられる。
【００３０】
別の実施形態においては外部の時間基準は必要とされない。この実施形態によれば、ユーザターミナル１０２が受信するものと同じＴＶ送信機の全てからのＴＶ信号を単一のモニタユニット１０８が受信する。従ってこの単一のモニタユニットのローカルクロックが時間基準として作用する。
【００３１】
実施形態によっては、タイムオフセットが固定されたオフセットとして設定される。別の実施形態においては、各タイムオフセットが以下の数式のａ，ｂ，ｃ，およびＴからなる二次多項式フィットとして設定される。
【００３２】
【数１】
2005502054.tif 000003
【００３３】
いずれの実施形態においても、測定された各タイムオフセットはインターネット、または秘密保持されたモデム接続等を使用して位置確認サーバに周期的に送信される。実施形態によっては、各モニタユニット１０８の位置はＧＰＳ受信機を使用して判定される。
【００３４】
位置確認サーバ１１０は、各ＴＶ送信機１０６の位相中心（すなわち位置）を示す情報をデータベース１１２から受信する。実施形態によっては、モニタユニット１０８を使用して異なった位置において位相中心を直接測定することによって各ＴＶ送信機１０６の位相中心が測定される。別の実施形態によれば、各ＴＶ送信機１０６の位相中心はアンテナ位相中心を監視することによって測定される。
【００３５】
一実施形態において、位置確認サーバ１１０は、ユーザターミナル１０２の周辺の気温、気圧、湿度を示す気象情報を気象サーバ１１４から受信する。この気象情報はインターネットおよびＮＯＡＡ等の他のソースから入手することができる。位置確認サーバ１１０は、例えばＢ．パーキンソン氏およびＪ．スピルカー・ジュニア氏等による１９９６年のワシントンＤＣにおけるＡＩＡＡ第１巻“グローバルポジショニングシステム−セオリーおよびアプリケーション”、Ｊ．スピルカー・ジュニア氏による第１７章“ＧＰＳにおける対流圏現象の影響”（これはここにおいて参照に組み入れてある）の技術を使用して気象情報から対流圏伝搬速度を判定する。
【００３６】
位置確認サーバ１１０は、さらにユーザターミナル１０２の一般的な地理情報を示す情報を基地局１０４から受信することができる。例えば、この情報は携帯電話が位置しているセルまたはセル区部を示すことができる。以下に記述するように曖昧性解消のために使用される。
【００３７】
ユーザターミナル１０２は１つまたは複数の携帯電話基地局１０４から携帯電話信号を受信する（ステップ２０６）。携帯電話信号はＧＳＭタイミングアドバンスパラメータ等の距離信号を含むことができる。ユーザターミナル１０２は、このユーザターミナル１０２と各携帯電話基地局１０４との間の距離および／または擬似距離を判定する（ステップ２０８）。この距離は以下に詳細に記述するように距離信号から得ることができる。擬似距離は、携帯電話基地局１０４の所定の携帯電話信号の成分の送信時間とユーザターミナル１０２におけるこの成分の受信時間との間の時間差（または等位距離）、ならびに携帯電話基地局におけるクロックオフセットを示している。ユーザターミナル１０２は擬似距離を位置確認サーバ１１０に送信する。
【００３８】
位置確認サーバ１１０は、擬似距離、使用される場合は距離、各ＴＶ送信機１０６の位置、および携帯電話基地局１０４の位置に基づいてユーザターミナル１０２の位置を判定する（ステップ２１０）。図３には３つの送信機３０２を使用する位置判定の幾何学配置が示されている。送信機３０２はＴＶ送信機および携帯電話基地局の任意の組み合わせを含むことができる。送信機３０２Ａは位置（ｘ１，ｙ１，ｚ１）に存在している。ユーザターミナル１０２と送信機３０２Ａとの間の距離はｒ１とする。送信機３０２Ｂは位置（ｘ２，ｙ２，ｚ２）に位置している。ユーザターミナル１０２と送信機３０２Ｂとの間の距離はｒ２とする。送信機３０２Ｎは位置（ｘ３，ｙ３，ｚ３）に存在している。ユーザターミナル１０２と送信機３０２Ｎとの間の距離はｒ３とする。
【００３９】
位置確認サーバ１１０は対流圏伝搬速度および対応する送信機３０２のタイムオフセットに従って擬似距離の数値を調整することができる。位置確認サーバ１１０はデータベース１１２からの位相中心情報を使用して各送信機３０２の位置を判定する。ＧＳＭ基地局の位置およびクロックオフセットは、ＧＳＭ基地局によって送信されるＥ−ＯＴＤ補助データ放送メッセージから得ることができる。
【００４０】
ユーザターミナル１０２は、３つの未知数すなわち位置（ｘ，ｙ）およびユーザターミナル１０２のクロックオフセットＴを解くために３つあるいはそれより多い擬似距離計測値を使用する。ユーザターミナルの高度は既知であると仮定され、ユーザターミナルの経度および緯度のみを正確に判定する必要があると仮定する。三次元すなわち（ｘ，ｙ，ｚ）においてユーザターミナルの位置を判定し得ることも勿論であり、この場合４つまたはそれ以上の送信機が使用可能でありそれらの幾何学的位置関係が充分なものであると仮定される。当業者においてはここで記述する技術を３次元の位置を判定するためにどのように使用するかは当然理解される。
【００４１】
３つの擬似距離計測値ｐｒ１，ｐｒ２，およびｐｒ３は以下の式によって与えられる。
【００４２】
【数２】
2005502054.tif 000004
【００４３】
【数３】
2005502054.tif 000005
【００４４】
【数４】
2005502054.tif 000006
【００４５】
３つの距離は以下の式で表すことができる。
【００４６】
【数５】
2005502054.tif 000007
【００４７】
【数６】
2005502054.tif 000008
【００４８】
【数７】
2005502054.tif 000009
【００４９】
ここで、Ｘはユーザターミナル１０２の三次元のベクトル位置（ｘ，ｙ，ｚ）を示し、Ｘ１は送信機３０２Ａの三次元のベクトル位置（ｘ１，ｙ１，ｚ１）を示し、Ｘ２は送信機３０２Ｂの三次元のベクトル位置（ｘ２，ｙ２，ｚ２）を示し、Ｘ３は送信機３０２Ｎの三次元のベクトル位置（ｘ３，ｙ３，ｚ３）を示す。これらの関係によって３つの等式が成立し、これによって３つの未知数ｘ，ｙ，およびＴが解かれる。経度および緯度のみが必要である場合、位置確認サーバ１１０はｚに対して一定の予測値を仮定し、別の未知の座標として解明することはない。地形図を使用する一実施例において、ｚの初期予測値は計算されたｘおよびｙの数値に基づいて反復して高精度化することができる。別の実施形態においては、位置確認サーバ１１０がｚを実効的に解明する。位置確認サーバ１１０はこれらの等式を既知の一般的方法によって解く。１つのＥ９１１応用例において、ユーザターミナル１０２の位置は適宜な使用権者に配分するためにＥ９１１位置確認サーバ１１６に送信される。別の実施形態において位置はユーザターミナル１０２に送信される。
【００５０】
別の実施形態において、ユーザターミナル１０２は擬似距離を計算せず、むしろ擬似距離を計算するために充分である信号の測定値を取り込み、この測定値を位置確認サーバ１１０に伝送する。位置確認サーバ１１０はこの測定値に基づいて擬似距離を計算し、前述したようにこの擬似距離に基づいてユーザの位置を計算する。
【００５１】
ユーザターミナルによる位置確認
別の実施形態において、デバイス１０２の位置はユーザターミナル１０２によって計算される。この実施形態においては、全ての必要な情報がユーザターミナル１０２に送信される。この情報は位置確認サーバ１１０、携帯電話基地局１０４、１つまたは複数のＴＶ送信機１０６、またはそれらいずれかの組合せを介してユーザターミナルに伝送することができる。ユーザターミナル１０２はその後擬似距離を計測し、前述した連立方程式を解く。この実施形態についてさらに説明する。
【００５２】
ユーザターミナル１０２は各ＴＶ送信機のローカルクロックと基準クロックとの間のタイムオフセットを受信する。ユーザターミナル１０２はさらに各ＴＶ送信機１０６の位相中心を示す情報をデータベース１１２から伝送する。
【００５３】
ユーザターミナル１０２は位置確認サーバ１１０によって計算された対流圏伝搬速度を受信する。別の実施形態において、ユーザターミナル１０２はこのユーザターミナル１０２の周囲の気温、気圧、および湿度を示す気象情報を気象サーバ１１４から受信し、一般的な手法を使用してこの気象情報から対流圏伝搬速度を判定する。
【００５４】
ユーザターミナル１０２はさらに基地局１０４からこのユーザターミナル１０２の大まかな位置を示す情報を受信する。例えば、この情報は携帯電話が位置しているセルまたはセル区部を示すことができる。この情報は以下に説明するように曖昧性解消に使用することができる。
【００５５】
ユーザターミナル１０２は複数のＴＶ送信機１０６からＴＶ信号を受信し、ユーザターミナル１０２と各トランスミッタ１０６との間の擬似距離を判定する。ユーザターミナル１０２は複数の携帯電話基地局１０４から携帯電話信号を受信し、ユーザターミナル１０２と携帯電話基地局１０４との間の擬似距離および／または擬似距離を判定する。ユーザターミナル１０２はその後擬似距離、使用される場合は距離、ＴＶ送信機１０６の位置、および携帯電話基地局１０４の位置に基づいて自身の位置を判定する。
【００５６】
これらの実施形態のいずれにおいても、ユーザターミナル１０２の位置はＴＶ送信機ならびに先行した位置判定中に計算されたオフセットＴを使用して判定される。Ｔの値は一般的な手法に従って記録あるいは保持することができる。
【００５７】
一実施形態においては、基地局１０４がユーザターミナル１０２のクロックオフセットを判定する。この実施形態においては、２つのＴＶ送信機のみが位置判定のために必要とされる。基地局１０４は位置確認サーバ１１０にクロックオフセットＴを伝送し、これは各ＴＶ送信機に対して計算された擬似距離からユーザターミナル１０２の位置を判定する。
【００５８】
ＧＳＭ携帯電話信号を使用した位置確認
ＧＤＭ携帯電話信号は２００ｋＨｚの帯域幅と１６２５／６＝２７０．８３３３３ｋｂｐｓのビットレートを有する周波数分割多重接続／時分割多重接続（ＦＤＭＡ／ＴＤＭＡ）信号である。ＧＳＭ信号は、１２４個のそれぞれ２００ｋＨｚの周波数チャネルに２００ｋＨｚの保護周波数を加えたものを送信用に総計２５ＭＨｚおよび受信用に総計２５ＭＨｚ有している。各周波数チャネルは、８人の異なった能動ユーザによって共有された８個のタイムスロットに副分割されたＴＤＭＡフレームを有する２７０．８３３３ｋｂｐｓのガウス最小変移信号によって変調される。従って、システムは８×１２４＝９９２個のタイムスロットを有する。４５ＭＨｚの離間を有する一対の周波数チャネルが所与の二重チャネルに対して割り当てられる。
【００５９】
ＧＳＭ信号は、標準バースト、周波数校正バースト、接続バースト、同期化バースト、ダミーバースト、アクセスバーストの５つの異なったバーストフォーマットを有している。周波数校正バーストは全てが純キャリア成分であるが６個のテールビットに加えてガードタイムを有している。０．３ＧＭＳＫ変調のため、“０”ビットの流れが標準キャリア周波数の上方１６２５／２４ｋＨｚ＝６７．７ｋＨｚ周波数偏移を有する純キャリアを生成する。この純キャリアはユーザターミナルによって局部水晶発振器を校正するために使用される。同期化バーストは、標準の２６ビットトレーニングシーケンスに代えて６４ビットトレーニングシーケンスにタイミングを合わせるために使用される。ダミーバーストはデータを含んでいないが、その他の点においては標準バーストと同様である。アクセスバーストは、大幅に大きい６８．２５のガードスペースと４１ビットのトレーニングシーケンスと３６個のみのデータビットとを有している。
【００６０】
標準バーストのフォーマットは図４に示されている。このフォーマットは３個のテールビット４０２を有し、これに５７個のデータビット４０４が続き、さらに２６ビット同期化トレーニングシーケンス４０６、５７個のデータビット４０８、３個のテールビット４１０、８．２５ガードビット４１２と続いている。
【００６１】
これらの多様なバーストフォーマットにおけるトレーニングシーケンスは、本発明の実施例においてタイミング同期化に使用される既知のビットパターンである。標準バーストの伝送のために８個の異なったトレーニングシーケンスがあり、それらは基地局カラーコードによって示されている。トレーニングシーケンスは適応等化器を調節するための伝搬遅延を校正するための両方に使用される。
【００６２】
ユーザターミナルはランダムアクセスチャネルのうちの１つにリクエストを送信することによってシステムに進入する。しかしながら、ＴＤＭＡフレーム毎に８バーストを有するＴＤＭＡ信号が適正に動作するために、基地局から異なった距離にある各ユーザターミナルは、それらのＴＤＭＡバーストが基地局において適正なタイミングで受信されバースト間のオーバラップが生じないようにするために、異なったタイムオフセットでＴＤＭＡバーストを送信する必要がある。
【００６３】
このため、基地局はタイミングアドバンスパラメータからなる距離信号を送信する。勿論、その他の距離信号を使用することも可能である。タイミングアドバンスパラメータはそれぞれ１データビットに対応する６４個のステップを有し、一方向伝搬速度の２倍に相当している。従って、各増分は自由空間伝搬について１．８４６μｓまたは１８４６ｆｔレンジとなる。従って、タイミングアドバンスパラメータ自体がユーザステーションに対して約±３０７．６ヤードあるいは±３０２．７ｍの距離精度を提供する。この精度は必要とされているものに比べて充分ではないが、これはユーザターミナルにおいて既に使用可能となっており、より高精度のＴＶ信号測定と組み合わせた場合、２つのＴＶ信号のみが良好な幾何学位置関係をもって観測範囲内に入っている田舎の地域においても許容可能な分析が可能となる。
【００６４】
タイミングアドバンスパラメータは信号チャネルの１つとして送信されＧＳＭによって使用される。信号チャネルのセットの中には３つの個別制御チャネル（ＤＣＣＨ）が存在する。これらのＤＣＣＨの１つは（ユーザターミナルと基地局の間における）双方向低速付随制御チャネル（ＳＡＣＣＨ）であり、これは７ビットのタイミングアドバンス情報を備えている。ＳＡＣＣＨのフォーマットは図５に示されている。これらのリンク制御パラメータは４８０ｍｓ毎に測定および更新される。
【００６５】
図６には、２つのＤＴＶ送信機１０６のみが良好な幾何学位置関係をもってユーザターミナル１０２の観測範囲内に存在し、１つのＧＳＭ基地局１０４のみが観測範囲内に存在する場合のシステム構成が示されている。勿論、追加的なＧＳＭ基地局１０４が観測範囲内に存在する場合、位置確認の精度を改善するためにその信号を使用することができる。信号は、ＧＳＭ基地局送受信システム（ＢＴＳ）１０４、基地局コントローラ６０２、およびモバイルスイッチングセンタ６０４を介してユーザターミナル１０２から位置確認サーバ１１０に中継される。
【００６６】
ＧＳＭシステム測定はいくつかの形式のうちの１つとすることができる。一実施例によれば、常に提供されている標準ＧＳＭタイミングアドバンスパラメータが使用される。その精度は必要とする程良好なものではない。しかしながら、これは、例えば１または複数のＧＳＭショートメッセージサービス（ＳＭＳ）を使用してその他のＤＴＶ信号測定と共にタイミングアドバンスが位置確認サーバ１１０に提供されることを除いて通常のＧＳＭ動作以外の動作は必要としない。しかしながら、位置確認サーバ１１０は基地局１０４の位置情報と共にタイミングアドバンス測定を取り込みこれによってユーザターミナル１０２の位置を分析する。
【００６７】
別の実施例は、ユーザターミナル１０２と基地局１０４との間の擬似距離を測定し、その擬似距離をユーザターミナル１０２とＤＴＶ送信機１０６との間の擬似距離と共に使用してユーザターミナルの位置をより高精度に分析する。この実施例によれば、ＧＳＭトレーニングシーケンス上に擬似距離遅延ロックループ動作が含まれる。標準バーストに対するトレーニングシーケンスは１００％のデューティファクタを有しておらず、２６／（１５６．２５×８）＝２．０８％のデューティファクタを有している。それにもかかわらず、１秒の平均時間に対してＧＳＭ標準トレーニングシーケンスは２７０．８３３×０．０２０８＝５６３３または３７．５ｄＢの処理ゲインを有する。勿論、別のタイプのＧＳＭバーストのトレーニングシーケンスを使用することも可能である。
【００６８】
別の実施例においては、ユーザターミナル１０２とＤＴＶ送信機１０６との間の擬似距離に加えて１つまたは複数のユーザターミナル１０２と基地局１０４との間の擬似距離が使用される。
【００６９】
図７には、それ以外の変更は加えずに、２つのＤＴＶ信号の測定と共にＧＳＭタイミングアドバンスを使用する位置分析が示されている。この単純な例において、ＧＳＭタイミングアドバンスは、空気中におけるナノ秒中の光速におけるタイミングアドバンスに相当する半径からなる弧７０２である解の軌跡を与える。弧７０２の角度幅はｋセクタ（ｋ−ｓｅｃｔｏｒ）アンテナの有効範囲角度に相当し；８セクタの場合角度幅は３６０／８＝４５°となる。２つのＤＴＶ分析は遅延差に相当する双曲線７０４を提供する。位置の解は、弧７０２と当該双曲線７０４との間の交差点７０６となる。その他の方式で解析することも可能である。
【００７０】
図８には、一実施例において測定された同期化時間をユーザターミナル内のローカル基準クロックと比較することによって擬似距離を測定するために使用される時間ゲート遅延ロックループ（ＴＧＤＬＬ）受信機８００の構成が示されている。この時間ゲートＤＬＬは２００２年１月２２日付で提出されたジェームズ・Ｊ・スピルカー氏ならびにマシュー・ラビノヴィッツ氏等による米国非仮特許出願第１０／０５４２６２号、“デジタルテレビ信号のタイプゲートされた遅延ロックループ追跡”に開示されており、その開示はここで全体的に参照に組み入れてある。
【００７１】
図８には非コヒーレント型の遅延ロックループが示されているが、コヒーレント型の時間ゲート遅延ロックループも同様に使用可能であることが理解される。ＧＳＭ受信機は可干渉性に動作する必要があるため、ＤＬＬをコヒーレントモードが動作するために充分な信号レベルおよびクロック回復率を有するものとする。
【００７２】
時間ゲートコントローラ８０２は、電力を節減するために受信機８００のメモリレス要素をオンおよびオフに切り換える時間ゲート信号を生成し、従ってその要素は信号が必要とされる場合にのみ動作して信号を形成する。時間ゲートコントローラ８０２はローカルクロック８０４によりトレーニングシーケンスのタイミングに基づいて生成されるタイミング信号によって制御される。受信機の前端部の要素（図示されていない）も同様に時間ゲートされる。このことによって実質的に電力が節減され、限られた電力を有する携帯型装置における実施を可能にする。
【００７３】
受信されたＧＳＭ信号は、タイムゲートコントローラ８０２によって制御され、スイッチ８０６によって一対のミキサ８０８Ａおよび８０８Ｂに伝送され、ここでそれぞれトレーニングシーケンス発生器８１０によって提供されるトレーニングシーケンスのＩおよびＱサンプルと混合される。ミキサ８０８の出力は、各中間周波数（ＩＦ）フィルタ８１２Ａおよび８１２Ｂによってフィルタリングされた後、それぞれ非コヒーレント検出器（ＮＣＤ）８１４Ａおよび８１４Ｂを駆動する。ＮＣＤ８１４の出力は加算器８１６によって結合されＤＬＬループフィルタ８１８によってフィルタリングされる。フィルタ８１８の出力は数値制御コントローラ（ＮＣＯ）８２０を駆動し、これはローカルクロック８０４によってクロックされるとともにトレーニングシーケンス発生器８１０を駆動する。
【００７４】
ＴＧＤＬＬ８００はＧＳＭ標準バースト内の２６ビットトレーニングシーケンスを使用するだけでなく、その他のＧＳＭバースト内のトレーニングシーケンスおよびＧＳＭ基地局１０４によって発信された多様な制御信号を使用する。このように多様な方式とすることによって、タイミングアドバンスパラメータのみを使用して得られるものに比べてより高精度な測定が可能になる。実施例によっては、タイミングアドバンスパラメータが捕捉手段として使用される。
【００７５】
位置確認サーバ１１０はさらにユーザターミナルによって使用される基地局アンテナおよびセクタの位置を保持する。加えて、基地局のクロックタイミングも既知である必要がある。このことは、基地局のクロックがＧＰＳまたはその他のタイミング源にロックされておりクロックからアンテナへの距離が計算または測定されれば容易に達成することができる。
【００７６】
これらの、タイミングアドバンスパラメータのみを使用するか、あるいはＧＳＭ基地局への擬似距離を測定する、２つの方式のいずれにおいても、良好な幾何学位置関係にある２つのＤＴＶタワーのみを使用して位置確認を行うことが可能になる。勿論、より多くの基地局あるいはＤＴＶタワーが観測範囲内に存在すれば追加的な性能改善が達成される。
【００７７】
ＣＤＭＡ携帯電話信号を使用した位置確認
今日最も幅広く使用されているデジタル携帯電話システムは米国ＩＳ−９５ＣＤＭＡ規格に基づいている。ＣＤＭＡ携帯電話システムは、干渉およびマルチパスに対して耐久性のある拡散スペクトル信号を使用している。この干渉に対する耐久性のため、全てのＣＤＭＡセル・サイトが同一の送信および受信周波数を使用することが可能になる。セル・サイト間の干渉を最小化するために、各ＣＤＭＡ基地局信号は線形フィードバックジェネレータによって生成された擬似ノイズ（ＰＮ）ビットシーケンスに基づいた拡散スペクトル送信信号を使用し、ここで同位相ジェネレータは以下の等式で与えられる：
【００７８】
【数８】
2005502054.tif 000010
【００７９】
また直角位相ジェネレータは以下の式で与えられる：
【００８０】
【数９】
2005502054.tif 000011
【００８１】
これらは２１５−１＝３２７６７の周期を有する最大長のシフトレジスタシーケンスである。
【００８２】
各ＣＤＭＡ基地局信号は、これらの同一の同位相および直角位相ＰＮシーケンスを使用する。これらのキャリアを変調するシーケンスは、データを変調するより高レベルのキャリアのように動作する。各信号に対するチップ速度は１．２２８８Ｍｃｐｓである。各シーケンスの周期は２６．６６ｍｓ毎あるいは２秒毎に７５回反復する。
【００８３】
同一の周波数帯を使用する異なったセル・サイトからのユーザターミナルへの干渉を最小化するために、各セル・サイトのＰＮシーケンスは６４チップの倍数によってオフセットされる。５１２個の個別オフセットが存在する。干渉を最小化するために１つのエリア内の全ての基地局が異なったオフセットを使用し、ユーザターミナルが最も強力な基地局信号を捕捉することを促進する。この伝送信号内の同一のシーケンス内のオフセットの使用により、全ての基地局がそれらの送信機の同期化を可能にする安定した時間基準を維持することが必要となる。全てのＣＤＭＡセル・サイトはＧＰＳ受信機によって時間基準を受領する。
【００８４】
ＩＳ−９５デジタル携帯電話システムは現行のアナログ携帯電話帯域（ＡＭＰＳ）と同じ帯域で動作し、８６９−８９４ＭＨｚのアップリンク（ユーザターミナルから基地局へ）および８２４−８４９ＭＨｚのダウンリンク（基地局からユーザターミナルへ）からなる各方向において２５ＭＨｚの周波数分割二重化を使用することにより全二重動作が達成される。各方向に対する２５ＭＨｚは２０帯域に分割され、各１．２５ＭＨｚ帯域が１．２２８８Ｍｃｐｓを有する同位相および直角位相成分におけるＰＮシーケンスを伴った単一のキャリアを使用する。
【００８５】
１．２５ＭＨｚ帯域内の各ダウンリンク信号は、高出力パイロットチャネルおよび低出力パイロットチャネルを含んだ６４個のチャネルと６２個のページングおよび通話チャネルを有している。パイロットチャネルは、ユーザターミナルが基地局信号を捕捉および追跡することを可能にする。パイロットチャネルは、ＰＮシーケンスのオフセット時間を全て分類することによって、検出した異なった基地局からの変調されていないパイロットチャネル信号のうちの最も強力なものをユーザターミナルが捕捉することを可能にする。同期化チャネルはユーザターミナルが選択された基地局ネットワークに時間同期することを可能にする。ダウンリンクチャネルのそれぞれが６４個の直交ウォルシュコードワードを使用し、これが同じ１．２５ＭＨｚ帯域を使用する各チャネルの分離を可能にする。ユーザターミナルは基地局チャネルの１つを受信するために６４個のウォルシュコードワードのうちの１つを使用する。
【００８６】
パイロットチャネルは最も高出力のチャネルでありゼロウォルシュコードワードを使用し、これはこの信号が変調されていないＰＮシーケンスであることを意味している。６４ビットウォルシュコードワードの時間間隔にわたって相互相関が実行された場合、パイロットチャネルはその他の全てのチャネルに対して直交する。擬似測定を得るために、トレーニングシーケンス発生器が変調されていないＰＮシーケンスを生成する際に図８のＴＧＤＬＬ８００がユーザターミナル１０２内で実行される。
【００８７】
その他の実施例
本発明はデジタル電子回路、またはコンピュータハードウェア、ファームウェア、ソフトウェア、またはそれらの組み合わせによって実施することができる。種々の信号および信号処理技術がデジタルあるいはアナログ領域において実施可能である。本発明の装置は、プログラマブルプロセッサによって実行するために機械読取可能な記憶デバイス内に実装されたコンピュータプログラムとして実施することができ；また本発明の方法ステップは命令プログラムを実行するプロセッサによって本発明の機能を実行しデータを入力して出力を形成することによって実施することができる。本発明は、受信データに結合されデータ記憶システムから、またはこれに対して命令およびデータを送受信する少なくとも１つのプログラマブルプロセッサと、少なくとも１つの入力デバイスおよび少なくとも１つの出力デバイスを含んだプログラマブルシステム上で実行可能な１つまたは複数のコンピュータプログラム内で有効に実施することが可能である。各コンピュータプログラムは高級手続き言語または目的指向プログラム言語内において実行するか、あるいは必要に応じてアセンブリまたは機械語内において実行することができ；この言語はコンパイルされたものあるいは翻訳された言語とすることができる。好適なプロセッサには、例えば、汎用または特定用途のマイクロプロセッサの両方が含まれる。一般的に、プロセッサは読取り専用メモリ（ＲＯＭ）および／またはランダムアクセスメモリ（ＲＡＭ）から命令およびデータを受信する。一般的に、コンピュータはデータファイルを記憶するために１つまたは複数の大容量記憶装置を備えており；これは内蔵ハードディスクまたは取り外し可能なディスク等の磁気ディスク；光磁気ディスク；および光ディスク等を含んでいる。コンピュータプログラム命令およびデータを実装するために適した記憶装置は、例えばＥＰＲＯＭ、ＥＥＰＲＯＭ、およびフラッシュメモリデバイス等を含む全てのタイプの不揮発メモリ；内蔵ハードディスクまたは取り外し可能なディスク等の磁気ディスク；光磁気ディスク；およびＣＤ−ＲＯＭディスクとすることができる。前述のもののいずれかは、ＡＳＩＣ（特定用途向け集積回路）によって補完されるかあるいはその中に組み込むことができる。
【００８８】
本発明の多数の実施例ついて記述した。しかしながら、本発明の精神および視点から逸脱することなく種々の設計変更が可能であることが理解される。
【００８９】
ここでは多様な信号および信号処理技術がアナログ形式で開示されているが、当業者においてはこの記載からデジタル技術も同様に適用可能であることが理解される。
【００９０】
実施例によっては、位置確認サーバ１１０が例えばＴＶ送信機から取得可能な擬似距離等のシステムレベルで取得可能な冗長信号を使用し、各ＴＶチャネルおよび擬似距離を認可するための追加的なチェックを実行し、誤ったＴＶチャネルを確認する。この技術の一つが一般的なレシーバ自律完全性監視（ＲＡＩＭ）である。
【００９１】
従って、本発明の視点の範囲内においてその他の実施形態も可能である。
【図面の簡単な説明】
【００９２】
【図１】無線によって基地局と交信するユーザターミナルを含んだ本発明の実施形態を示す構成図である。
【図２】本発明の実施形態の動作を示す説明図である。
【図３】３つのＤＴＶ信号を使用する位置判定の幾何学構成を示す説明図である。
【図４】ＧＳＭの通常バーストの形式を示す説明図である。
【図５】ＳＡＣＣＨチャネルの形式を示す説明図である。
【図６】ユーザターミナルからの良好な幾何学位置で示された２つのＤＴＶ送信機と１つのＧＳＭ基地局とを含んだシステム構成を示す説明図である。
【図７】ＧＳＭタイミングアドバンスを変更せずに使用し２つのＤＴＶ信号に従って計測した位置分析を示す説明図である。
【図８】測定された同期時間を本発明の一実施例に係るユーザターミナル内の基準クロックと比較することによって擬似距離を測定するために使用される時間ゲートされた遅延ロックループの概略構成を示す説明図である。参照符号の１番目の数字はその参照符号が記載されている図面の番号を示している。
【図１】
2005502054.tif 000012
【図２】
2005502054.tif 000013
【図３】
2005502054.tif 000014
【図４】
2005502054.tif 000015
【図５】
2005502054.tif 000016
【図６】
2005502054.tif 000017
【図７】
2005502054.tif 000018
【図８】
2005502054.tif 000019
【国際公開パンフレット】
2005502054.tif 000020
2005502054.tif 000021
2005502054.tif 000022
2005502054.tif 000023
2005502054.tif 000024
2005502054.tif 000025
2005502054.tif 000026
2005502054.tif 000027
2005502054.tif 000028
2005502054.tif 000029
2005502054.tif 000030
2005502054.tif 000031
2005502054.tif 000032
2005502054.tif 000033
2005502054.tif 000034
2005502054.tif 000035
2005502054.tif 000036
2005502054.tif 000037
2005502054.tif 000038
2005502054.tif 000039
2005502054.tif 000040
2005502054.tif 000041
2005502054.tif 000042
2005502054.tif 000043
2005502054.tif 000044
2005502054.tif 000045
2005502054.tif 000046
2005502054.tif 000047
2005502054.tif 000048
2005502054.tif 000049
2005502054.tif 000050
2005502054.tif 000051
2005502054.tif 000052
2005502054.tif 000053
2005502054.tif 000054
2005502054.tif 000055
2005502054.tif 000056
2005502054.tif 000057
2005502054.tif 000058
2005502054.tif 000059
2005502054.tif 000060
2005502054.tif 000061
2005502054.tif 000062
2005502054.tif 000063
2005502054.tif 000064
2005502054.tif 000065
2005502054.tif 000066
2005502054.tif 000067
2005502054.tif 000068
2005502054.tif 000069
2005502054.tif 000070
2005502054.tif 000071
2005502054.tif 000072
2005502054.tif 000073
2005502054.tif 000074
2005502054.tif 000075
2005502054.tif 000076
2005502054.tif 000077
2005502054.tif 000078
2005502054.tif 000079
2005502054.tif 000080
2005502054.tif 000081
2005502054.tif 000082
2005502054.tif 000083
2005502054.tif 000084
2005502054.tif 000085
2005502054.tif 000086
2005502054.tif 000087
2005502054.tif 000088
2005502054.tif 000089
2005502054.tif 000090
2005502054.tif 000091
2005502054.tif 000092
2005502054.tif 000093
2005502054.tif 000094
2005502054.tif 000095
2005502054.tif 000096
【国際公開パンフレット（コレクトバージョン）】
2005502054.tif 000097
2005502054.tif 000098
【国際調査報告】
2005502054.tif 000099
2005502054.tif 000100